(57)【要約】  通信システムで広帯域キャリア支援のための帯域幅設定方法が開示される。基地局の動作方法は、端末のための第１帯域幅部分と第２帯域幅部分を設定する段階、前記第１帯域幅部分と前記第２帯域幅部分の間に重なった資源領域で前記第１帯域幅部分のための予約資源を設定する段階、および前記予約資源を使って前記第２帯域幅部分にスケジューリングされた第２データチャネルの送受信動作を前記端末と遂行する段階を含む。したがって、通信システムの性能が向上し得る。【選択図】図３
2020523942.tif 000002
【特許請求の範囲】
【請求項１】
通信システムで基地局の動作方法であって、
端末のための第１帯域幅部分（ｂａｎｄｗｉｄｔｈ  ｐａｒｔ）と第２帯域幅部分を設定する段階；
前記第１帯域幅部分と前記第２帯域幅部分の間に重なった資源領域で前記第１帯域幅部分のための予約資源を設定する段階；および
前記予約資源を使って前記第２帯域幅部分にスケジューリングされた第２データチャネルの送受信動作を前記端末と遂行する段階を含む、
基地局の動作方法。
【請求項２】
前記基地局の動作方法は、
前記第１帯域幅部分のうちで前記予約資源を除いた時間−周波数資源を使って、前記第１帯域幅部分にスケジューリングされた第１データチャネルの送受信動作を前記端末と遂行する段階をさらに含む、
請求項１に記載の基地局の動作方法。
【請求項３】
前記第１データチャネルは前記予約資源にレートマッチング（ｒａｔｅ  ｍａｔｃｈｉｎｇ）される、
請求項２に記載の基地局の動作方法。
【請求項４】
前記第１帯域幅部分および前記第２帯域幅部分はいずれも活性化される、
請求項１に記載の基地局の動作方法。
【請求項５】
前記第１帯域幅部分および前記第２帯域幅部分は前記端末に設定された同一のキャリアに属する、
請求項１に記載の基地局の動作方法。
【請求項６】
前記第１帯域幅部分および前記第２帯域幅部分のそれぞれは前記端末に設定された互いに異なるキャリアに属する、
請求項１に記載の基地局の動作方法。
【請求項７】
前記予約資源は前記第１帯域幅部分上で前記第１帯域幅部分のヌメロロジー（ｎｕｍｅｒｏｌｏｇｙ）により設定される、
請求項１に記載の基地局の動作方法。
【請求項８】
前記予約資源の設定情報は上位階層シグナリング手続きまたは物理階層シグナリング手続きを通じて前記端末に伝送される、
請求項１に記載の基地局の動作方法。
【請求項９】
前記第１帯域幅部分および前記第２帯域幅部分はダウンリンク帯域幅部分であり、前記第２データチャネルはＰＤＳＣＨ（ｐｈｙｓｉｃａｌ  ｄｏｗｎｌｉｎｋ  ｓｈａｒｅｄ  ｃｈａｎｎｅｌ）である、
請求項１に記載の基地局の動作方法。
【請求項１０】
通信システムで端末の動作方法であって、
第１帯域幅部分（ｂａｎｄｗｉｄｔｈ  ｐａｒｔ）の設定情報および第２帯域幅部分の設定情報を基地局から受信する段階；
前記第１帯域幅部分と前記第２帯域幅部分の間に重なった資源領域で前記第１帯域幅部分のための予約資源の設定情報を基地局から受信する段階；および
前記予約資源を使って前記第２帯域幅部分にスケジューリングされた第２データチャネルの送受信動作を前記基地局と遂行する段階を含む、
端末の動作方法。
【請求項１１】
前記端末の動作方法は、
前記第１帯域幅部分のうちで前記予約資源を除いた時間−周波数資源を使って、前記第１帯域幅部分にスケジューリングされた第１データチャネルの送受信動作を前記基地局と遂行する段階をさらに含む、
請求項１０に記載の端末の動作方法。
【請求項１２】
前記第１データチャネルは前記予約資源にレートマッチング（ｒａｔｅ  ｍａｔｃｈｉｎｇ）される、
請求項１１に記載の端末の動作方法。
【請求項１３】
前記第１帯域幅部分および前記第２帯域幅部分はいずれも活性化される、
請求項１０に記載の端末の動作方法。
【請求項１４】
前記第１帯域幅部分および前記第２帯域幅部分は端末に設定された同一のキャリアに属する、
請求項１０に記載の端末の動作方法。
【請求項１５】
前記第１帯域幅部分および前記第２帯域幅部分のそれぞれは端末に設定された互いに異なるキャリアに属する、
請求項１０に記載の端末の動作方法。
【請求項１６】
前記予約資源は前記第１帯域幅部分上で前記第１帯域幅部分のヌメロロジー（ｎｕｍｅｒｏｌｏｇｙ）により設定される、
請求項１０に記載の端末の動作方法。
【請求項１７】
前記予約資源の設定情報は上位階層シグナリング手続きまたは物理階層シグナリング手続きを通じて受信される、
請求項１０に記載の端末の動作方法。
【請求項１８】
前記第１帯域幅部分および前記第２帯域幅部分はダウンリンク帯域幅部分であり、前記第２データチャネルはＰＤＳＣＨ（ｐｈｙｓｉｃａｌ  ｄｏｗｎｌｉｎｋ  ｓｈａｒｅｄ  ｃｈａｎｎｅｌ）である、
請求項１０に記載の端末の動作方法。
【請求項１９】
通信システムで端末の動作方法であって、
半固定的スロットフォーマットを指示する設定情報を基地局から受信する段階；
前記設定情報に基づいて前記半固定的スロットフォーマットの基準副搬送波間隔を確認する段階；および
前記端末の帯域幅部分（ｂａｎｄｗｉｄｔｈ  ｐａｒｔ）の副搬送波間隔が前記基準副搬送波間隔以上であると判断する段階を含む、
端末の動作方法。
【請求項２０】
前記端末の動作方法は、
前記帯域幅部分内の第１シンボルのタイプを、前記第１シンボルと同一時点に位置した前記半固定的スロットフォーマットによる第２シンボルのタイプと同一に設定する段階をさらに含む、
請求項１９に記載の端末の動作方法。
【発明の詳細な説明】
【技術分野】
【０００１】
本発明は通信システムで帯域幅部分（ｂａｎｄｗｉｄｔｈ  ｐａｒｔ）の設定技術に関し、さらに詳細には広帯域キャリアで初期接続を支援するための帯域幅部分の設定技術に関する。
【背景技術】
【０００２】
急増する無線データを処理するために、ＬＴＥ（ｌｏｎｇ  ｔｅｒｍ  ｅｖｏｌｕｔｉｏｎ）（またはＬＴＥ−Ａ）の周波数帯域（例えば、６ＧＨｚ以下の周波数帯域）より高い周波数帯域（例えば、６ＧＨｚ以上の周波数帯域）を使う通信システム（例えば、ＮＲ（ｎｅｗ  ｒａｄｉｏ））が考慮されている。ＮＲは６ＧＨｚ以下の周波数帯域だけでなく６ＧＨｚ以上の周波数帯域を支援することができ、ＬＴＥに比べて多様な通信サービスおよびシナリオを支援することができる。例えば、ＮＲの使用シナリオ（ｕｓａｇｅ  ｓｃｅｎａｒｉｏ）はｅＭＢＢ（ｅｎｈａｎｃｅｄ  Ｍｏｂｉｌｅ  ＢｒｏａｄＢａｎｄ）、ＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ）、ｍＭＴＣ（ｍａｓｓｉｖｅ  Ｍａｃｈｉｎｅ  Ｔｙｐｅ  Ｃｏｍｍｕｎｉｃａｔｉｏｎ）等を含むことができる。
【０００３】
一方、ＮＲで広帯域（ｗｉｄｅｂａｎｄ）キャリア内に一つ以上の帯域幅部分（ｂａｎｄｗｉｄｔｈ  ｐａｒｔｓ）が設定され得る。しかし、広帯域キャリアで初期接続を支援するための帯域幅部分の設定方法、設定された帯域幅部分で初期接続手続きなどは明確に定義されていない。また、複数の帯域幅部分が端末に設定され、複数の帯域幅部分の間に重なった資源領域が存在する場合、重なった資源領域でどのような帯域幅部分に結合された（ａｓｓｏｃｉａｔｅｄ）チャネル／信号が伝送されるか明確に定義されていない。したがって、帯域幅部分で基地局および端末の動作が明確に定義される必要がある。
【発明の概要】
【発明が解決しようとする課題】
【０００４】
前記のような問題点を解決するための本発明の目的は、通信システムで初期接続を支援するための端末の帯域幅設定方法を提供するところにある。
【課題を解決するための手段】
【０００５】
前記目的を達成するための本発明の第１実施例に係る基地局の動作方法は、端末のための第１帯域幅部分（ｂａｎｄｗｉｄｔｈ  ｐａｒｔ）と第２帯域幅部分を設定する段階、前記第１帯域幅部分と前記第２帯域幅部分の間に重なった資源領域で前記第１帯域幅部分のための予約資源を設定する段階、および前記予約資源を使って前記第２帯域幅部分にスケジューリングされた第２データチャネルの送受信動作を前記端末と遂行する段階を含む。
【０００６】
ここで、前記基地局の動作方法は、前記第１帯域幅部分のうちで前記予約資源を除いた時間−周波数資源を使って、前記第１帯域幅部分にスケジューリングされた第１データチャネルの送受信動作を前記端末と遂行する段階をさらに含むことができる。
【０００７】
ここで、前記第１データチャネルは前記予約資源にレートマッチングされ得る。
【０００８】
ここで、前記第１帯域幅部分および前記第２帯域幅部分はいずれも活性化され得る。
【０００９】
ここで、前記第１帯域幅部分および前記第２帯域幅部分は前記端末に設定された同一のキャリアに属することができる。
【００１０】
ここで、前記第１帯域幅部分および前記第２帯域幅部分のそれぞれは前記端末に設定された互いに異なるキャリアに属することができる。
【００１１】
ここで、前記予約資源は前記第１帯域幅部分上で前記第１帯域幅部分のヌメロロジーによって設定され得る。
【００１２】
ここで、前記予約資源の設定情報は上位階層シグナリング手続きまたは物理階層シグナリング手続きを通じて前記端末に伝送され得る。
【００１３】
ここで、前記第１帯域幅部分および前記第２帯域幅部分はダウンリンク帯域幅部分であり得、前記第２データチャネルはＰＤＳＣＨであり得る。
【００１４】
前記目的を達成するための本発明の第２実施例に係る端末の動作方法は、第１帯域幅部分の設定情報および第２帯域幅部分の設定情報を基地局から受信する段階、前記第１帯域幅部分と前記第２帯域幅部分の間に重なった資源領域で前記第１帯域幅部分のための予約資源の設定情報を基地局から受信する段階、および前記予約資源を使って前記第２帯域幅部分にスケジューリングされた第２データチャネルの送受信動作を前記基地局と遂行する段階を含む。
【００１５】
ここで、前記第１帯域幅部分および前記第２帯域幅部分のそれぞれは端末に設定された互いに異なるキャリアに属することができる。
【００１６】
ここで、前記予約資源は前記第１帯域幅部分上で前記第１帯域幅部分のヌメロロジーによって設定され得る。
【００１７】
ここで、前記予約資源の設定情報は上位階層シグナリング手続きまたは物理階層シグナリング手続きを通じて受信され得る。
【００１８】
ここで、前記第１帯域幅部分および前記第２帯域幅部分はダウンリンク帯域幅部分であり得、前記第２データチャネルはＰＤＳＣＨであり得る。
【００１９】
前記目的を達成するための本発明の第３実施例に係る端末の動作方法は、半固定的スロットフォーマットを指示する設定情報を基地局から受信する段階、前記設定情報に基づいて前記半固定的スロットフォーマットの基準副搬送波間隔を確認する段階、および前記端末の帯域幅部分の副搬送波間隔が前記基準副搬送波間隔以上であると判断する段階を含むことができる。
【００２０】
ここで、前記端末の動作方法は前記帯域幅部分内の第１シンボルのタイプを、前記第１シンボルと同一時点に位置した前記半固定的スロットフォーマットによる第２シンボルのタイプと同一に設定する段階をさらに含むことができる。
【発明の効果】
【００２１】
本発明によると、複数の帯域幅部分（例えば、第１帯域幅部分、第２帯域幅部分）は端末に設定され得、第１帯域幅部分と第２帯域幅部分の間の重なった資源領域内で第１帯域幅部分のための予約資源が設定され得る。第１帯域幅部分内の重なった資源領域のうちで予約資源を除いた時間−周波数資源を通じてｅＭＢＢ（ｅｎｈａｎｃｅｄ  Ｍｏｂｉｌｅ  ＢｒｏａｄＢａｎｄ）データが送受信され得、予約資源を通じてＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ）データが送受信され得る。すなわち、予約資源が設定される場合、ＮＲで高信頼および低遅延の要求事項が満足され得る。
【００２２】
また、半固定的スロットフォーマットが使われる場合、半固定的スロットフォーマットの基準副搬送波間隔は、帯域幅部分のために使用可能な副搬送波間隔の候補のうちで最も小さい副搬送波間隔候補に設定され得る。この場合、帯域幅部分の一つのシンボルが半固定的スロットフォーマットにより互いに異なる伝送方向を有するシンボルにマッピングされる問題は解消され得る。または半固定的スロットフォーマットの基準副搬送波間隔が帯域幅部分の副搬送波間隔より大きい場合、帯域幅部分の一つのシンボルが半固定的スロットフォーマットにより互いに異なる伝送方向を有するシンボルにマッピングされ得る。この場合、帯域幅部分の一つのシンボルの伝送方向はあらかじめ設定された規則により決定され得る。したがって、通信システムの性能が向上し得る。
【図面の簡単な説明】
【００２３】
【図１】通信システムの第１実施例を図示した概念図
【図２】通信システムを構成する通信ノードの第１実施例を図示したブロック図
【図３】通信システムで「方法３００」による予約資源の設定方法の第１実施例を図示した概念図
【図４】通信システムで半固定的スロットフォーマットの第１実施例を図示した概念図
【図５】通信システムで半固定的スロットフォーマットの第２実施例を図示した概念図
【図６】通信システムで半固定的スロットフォーマットおよび帯域幅部分の設定に対する第１実施例を図示した概念図
【図７】通信システムで半固定的スロットフォーマットおよび帯域幅部分の設定に対する第２実施例を図示した概念図
【図８】通信システムで「方法４１１」による帯域幅部分のスロットフォーマットの第１実施例を図示した概念図
【図９ａ】通信システムで「方法４２１」による半固定的スロットフォーマットの第１実施例を図示した概念図
【図９ｂ】通信システムで「方法４２１」による半固定的スロットフォーマットの第２実施例を図示した概念図
【図９ｃ】通信システムで「方法４２１」による半固定的スロットフォーマットの第３実施例を図示した概念図
【図１０】通信システムで帯域幅部分の動的スイッチング方法の第１実施例を図示した概念図
【図１１ａ】通信システムでＲＦ遷移区間の第１実施例を図示した概念図
【図１１ｂ】通信システムでＲＦ遷移区間の第２実施例を図示した概念図
【図１１ｃ】通信システムでＲＦ遷移区間の第３実施例を図示した概念図
【図１２】通信システムでＳＦＩモニタリングオケージョンの第１実施例を図示した概念図
【図１３】通信システムでＳＦＩモニタリングオケージョンの第２実施例を図示した概念図
【図１４】通信システムでＰＩモニタリングオケージョンの第１実施例を図示した概念図
【発明を実施するための形態】
【００２４】
本発明は多様な変更を加えることができ、多様な実施例を有することができるところ、特定の実施例を図面に例示して詳細に説明する。しかし、これは本発明を特定の実施形態に対して限定しようとするものではなく、本発明の思想および技術範囲に含まれるすべての変更、均等物乃至代替物を含むものと理解されるべきである。
【００２５】
第１、第２等の用語は多様な構成要素の説明に使われ得るが、前記構成要素は前記用語によって限定されはしない。前記用語は一つの構成要素を他の構成要素から区別する目的でのみ使われる。例えば、本発明の権利範囲を逸脱することなく第１構成要素は第２構成要素と命名され得、同様に第２構成要素も第１構成要素と命名され得る。および／またはという用語は複数の関連した記載された項目の組み合わせまたは複数の関連した記載された項目のいずれかの項目を含む。
【００２６】
ある構成要素が他の構成要素に「連結されて」いるとか「接続されて」いると言及された時には、その他の構成要素に直接的に連結されているかまたは接続されていてもよいが、中間に他の構成要素が存在してもよいと理解されるべきである。反面、ある構成要素が他の構成要素に「直接連結されて」いるとか「直接接続されて」いると言及された時には、中間に他の構成要素が存在しないものと理解されるべきである。
【００２７】
本出願で使った用語は単に特定の実施例を説明するために使われたものであって、本発明を限定しようとする意図ではない。単数の表現は文脈上明白に異なることを意味しない限り、複数の表現を含む。本出願で、「含む」または「有する」等の用語は明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００２８】
異なって定義されない限り、技術的または科学的な用語を含んで、ここで使われるすべての用語は本発明が属する技術分野で通常の知識を有する者によって一般的に理解されるものと同じ意味を有している。一般的に使われる辞書に定義されているような用語は関連技術の文脈上有する意味と一致する意味を有するものと解釈されるべきであり、本出願で明白に定義しない限り、理想的または過度に形式的な意味で解釈されない。
【００２９】
以下、添付した図面を参照して、本発明の好ましい実施例をより詳細に説明する。本発明の説明において全体的な理解を容易にするために、図面上の同じ構成要素に対しては同じ参照符号を付し、同じ構成要素についての重複説明は省略する。
【００３０】
本発明に係る実施例が適用される通信システム（ｃｏｍｍｕｎｉｃａｔｉｏｎ  ｓｙｓｔｅｍ）を説明する。通信システムは４Ｇ通信システム（例えば、ＬＴＥ（ｌｏｎｇ−ｔｅｒｍ  ｅｖｏｌｕｔｉｏｎ）通信システム、ＬＴＥ−Ａ通信システム）、５Ｇ通信システム（例えば、ＮＲ（ｎｅｗ  ｒａｄｉｏ）通信システム）等であり得る。４Ｇ通信システムは６ＧＨｚ以下の周波数帯域で通信を支援することができ、５Ｇ通信システムは６ＧＨｚ以下の周波数帯域だけでなく６ＧＨｚ以上の周波数帯域で通信を支援することができる。本発明に係る実施例が適用される通信システムは下記の説明内容に限定されず、本発明に係る実施例は多様な通信システムに適用され得る。ここで、通信システムは通信ネットワーク（ｎｅｔｗｏｒｋ）と同じ意味で使われ得、「ＬＴＥ」は「４Ｇ通信システム」、「ＬＴＥ通信システム」または「ＬＴＥ−Ａ通信システム」を指示することができ、「ＮＲ」は「５Ｇ通信システム」または「ＮＲ通信システム」を指示することができる。
【００３１】
図１は、通信システムの第１実施例を図示した概念図である。
【００３２】
図１を参照すると、通信システム１００は複数の通信ノード（基地局および端末）１１０−１、１１０−２、１１０−３、１２０−１、１２０−２、１３０−１、１３０−２、１３０−３、１３０−４、１３０−５、１３０−６を含むことができる。また、通信システム１００はコアネットワーク（ｃｏｒｅ  ｎｅｔｗｏｒｋ）（例えば、Ｓ−ＧＷ（ｓｅｒｖｉｎｇ−ｇａｔｅｗａｙ）、Ｐ−ＧＷ（ＰＤＮ（ｐａｃｋｅｔ  ｄａｔａ  ｎｅｔｗｏｒｋ）−ｇａｔｅｗａｙ）、ＭＭＥ（ｍｏｂｉｌｉｔｙ  ｍａｎａｇｅｍｅｎｔ  ｅｎｔｉｔｙ））をさらに含むことができる。通信システム１００が５Ｇ通信システム（例えば、ＮＲ（ｎｅｗ  ｒａｄｉｏ）システム）の場合、コアネットワークはＡＭＦ（ａｃｃｅｓｓ  ａｎｄ  ｍｏｂｉｌｉｔｙ  ｍａｎａｇｅｍｅｎｔ  ｆｕｎｃｔｉｏｎ）、ＵＰＦ（ｕｓｅｒ  ｐｌａｎｅ  ｆｕｎｃｔｉｏｎ）、ＳＭＦ（ｓｅｓｓｉｏｎ  ｍａｎａｇｅｍｅｎｔ  ｆｕｎｃｔｉｏｎ）等を含むことができる。
【００３３】
複数の通信ノード（１１０〜１３０）は３ＧＰＰ（３ｒｄ  ｇｅｎｅｒａｔｉｏｎ  ｐａｒｔｎｅｒｓｈｉｐ  ｐｒｏｊｅｃｔ）標準で規定された通信プロトコル（例えば、ＬＴＥ通信プロトコル、ＬＴＥ−Ａ通信プロトコル、ＮＲ通信プロトコルなど）を支援することができる。複数の通信ノード（１１０〜１３０）はＣＤＭＡ（ｃｏｄｅ  ｄｉｖｉｓｉｏｎ  ｍｕｌｔｉｐｌｅ  ａｃｃｅｓｓ）技術、ＷＣＤＭＡ（ｗｉｄｅｂａｎｄ  ＣＤＭＡ）技術、ＴＤＭＡ（ｔｉｍｅ  ｄｉｖｉｓｉｏｎ  ｍｕｌｔｉｐｌｅ  ａｃｃｅｓｓ）技術、ＦＤＭＡ（ｆｒｅｑｕｅｎｃｙ  ｄｉｖｉｓｉｏｎ  ｍｕｌｔｉｐｌｅ  ａｃｃｅｓｓ）技術、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）技術、Ｆｉｌｔｅｒｅｄ  ＯＦＤＭ技術、ＣＰ（ｃｙｃｌｉｃ  ｐｒｅｆｉｘ）−ＯＦＤＭ技術、ＤＦＴ−ｓ−ＯＦＤＭ（ｄｉｓｃｒｅｔｅ  Ｆｏｕｒｉｅｒ  ｔｒａｎｓｆｏｒｍ−ｓｐｒｅａｄ−ＯＦＤＭ）技術、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）技術、ＳＣ（ｓｉｎｇｌｅ  ｃａｒｒｉｅｒ）−ＦＤＭＡ技術、ＮＯＭＡ（Ｎｏｎ−ｏｒｔｈｏｇｏｎａｌ  Ｍｕｌｔｉｐｌｅ  Ａｃｃｅｓｓ）技術、ＧＦＤＭ（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ）技術、ＦＢＭＣ（ｆｉｌｔｅｒ  ｂａｎｋ  ｍｕｌｔｉ−ｃａｒｒｉｅｒ）技術、ＵＦＭＣ（ｕｎｉｖｅｒｓａｌ  ｆｉｌｔｅｒｅｄ  ｍｕｌｔｉ−ｃａｒｒｉｅｒ）技術、ＳＤＭＡ（Ｓｐａｃｅ  Ｄｉｖｉｓｉｏｎ  Ｍｕｌｔｉｐｌｅ  Ａｃｃｅｓｓ）技術などを支援することができる。複数の通信ノードのそれぞれは次のような構造を有することができる。
【００３４】
図２は、通信システムを構成する通信ノードの第１実施例を図示したブロック図である。
【００３５】
図２を参照すると、通信ノード２００は少なくとも一つのプロセッサ２１０、メモリ２２０およびネットワークと連結されて通信を遂行する送受信装置２３０を含むことができる。また、通信ノード２００は入力インターフェース装置２４０、出力インターフェース装置２５０、保存装置２６０等をさらに含むことができる。通信ノード２００に含まれたそれぞれの構成要素はバス（ｂｕｓ）２７０により連結されて通信を遂行することができる。
【００３６】
プロセッサ２１０はメモリ２２０および保存装置２６０のうち、少なくとも一つに保存されたプログラム命令（ｐｒｏｇｒａｍ  ｃｏｍｍａｎｄ）を実行することができる。プロセッサ２１０は中央処理装置（ｃｅｎｔｒａｌ  ｐｒｏｃｅｓｓｉｎｇ  ｕｎｉｔ、ＣＰＵ）、グラフィック処理装置（ｇｒａｐｈｉｃｓ  ｐｒｏｃｅｓｓｉｎｇ  ｕｎｉｔ、ＧＰＵ）、または本発明の実施例に係る方法が遂行される専用のプロセッサを意味し得る。メモリ２２０および保存装置２６０のそれぞれは揮発性保存媒体および不揮発性保存媒体のうち、少なくとも一つで構成され得る。例えば、メモリ２２０は読み取り専用メモリ（ｒｅａｄ  ｏｎｌｙ  ｍｅｍｏｒｙ、ＲＯＭ）およびランダムアクセスメモリ（ｒａｎｄｏｍ  ａｃｃｅｓｓ  ｍｅｍｏｒｙ、ＲＡＭ）のうち、少なくとも一つで構成され得る。
【００３７】
再び図１を参照すると、通信システム１００は複数の基地局（ｂａｓｅ  ｓｔａｔｉｏｎｓ）１１０−１、１１０−２、１１０−３、１２０−１、１２０−２、複数の端末１３０−１、１３０−２、１３０−３、１３０−４、１３０−５、１３０−６を含むことができる。第１基地局１１０−１、第２基地局１１０−２および第３基地局１１０−３のそれぞれはマクロセル（ｍａｃｒｏ  ｃｅｌｌ）を形成することができる。第４基地局１２０−１および第５基地局１２０−２のそれぞれはスモールセル（ｓｍａｌｌ  ｃｅｌｌ）を形成することができる。第１基地局１１０−１のセルカバレッジ（ｃｅｌｌ  ｃｏｖｅｒａｇｅ）内に第４基地局１２０−１、第３端末１３０−３および第４端末１３０−４が属することができる。第２基地局１１０−２のセルカバレッジ内に第２端末１３０−２、第４端末１３０−４および第５端末１３０−５が属することができる。第３基地局１１０−３のセルカバレッジ内に第５基地局１２０−２、第４端末１３０−４、第５端末１３０−５および第６端末１３０−６が属することができる。第４基地局１２０−１のセルカバレッジ内に第１端末１３０−１が属することができる。第５基地局１２０−２のセルカバレッジ内に第６端末１３０−６が属することができる。
【００３８】
ここで、複数の基地局１１０−１、１１０−２、１１０−３、１２０−１、１２０−２のそれぞれはＮＢ（ＮｏｄｅＢ）、ｅＮＢ（ｅｖｏｌｖｅｄ  ＮｏｄｅＢ）、ｇＮＢ、ＡＢＳ（ａｄｖａｎｃｅｄ  ｂａｓｅ  ｓｔａｔｉｏｎ）、ＨＲ−ＢＳ（ｈｉｇｈ  ｒｅｌｉａｂｉｌｉｔｙ−ｂａｓｅ  ｓｔａｔｉｏｎ）、ＢＴＳ（ｂａｓｅ  ｔｒａｎｓｃｅｉｖｅｒ  ｓｔａｔｉｏｎ）、無線基地局（ｒａｄｉｏ  ｂａｓｅ  ｓｔａｔｉｏｎ）、無線トランシーバー（ｒａｄｉｏ  ｔｒａｎｓｃｅｉｖｅｒ）、アクセスポイント（ａｃｃｅｓｓ  ｐｏｉｎｔ）、アクセスノード（ｎｏｄｅ）、ＲＡＳ（ｒａｄｉｏ  ａｃｃｅｓｓ  ｓｔａｔｉｏｎ）、ＭＭＲ−ＢＳ（ｍｏｂｉｌｅ  ｍｕｌｔｉｈｏｐ  ｒｅｌａｙ−ｂａｓｅ  ｓｔａｔｉｏｎ）、ＲＳ（ｒｅｌａｙ  ｓｔａｔｉｏｎ）、ＡＲＳ（ａｄｖａｎｃｅｄ  ｒｅｌａｙ  ｓｔａｔｉｏｎ）、ＨＲ−ＲＳ（ｈｉｇｈ  ｒｅｌｉａｂｉｌｉｔｙ−ｒｅｌａｙ  ｓｔａｔｉｏｎ）、ＨＮＢ（ｈｏｍｅ  ＮｏｄｅＢ）、ＨｅＮＢ（ｈｏｍｅ  ｅＮｏｄｅＢ）、ＲＳＵ（ｒｏａｄ  ｓｉｄｅ  ｕｎｉｔ）、ＲＲＨ（ｒａｄｉｏ  ｒｅｍｏｔｅ  ｈｅａｄ）、ＴＰ（ｔｒａｎｓｍｉｓｓｉｏｎ  ｐｏｉｎｔ）、ＴＲＰ（ｔｒａｎｓｍｉｓｓｉｏｎ  ａｎｄ  ｒｅｃｅｐｔｉｏｎ  ｐｏｉｎｔ）等と呼ばれ得る。
【００３９】
複数の端末１３０−１、１３０−２、１３０−３、１３０−４、１３０−５、１３０−６のそれぞれはＵＥ（ｕｓｅｒ  ｅｑｕｉｐｍｅｎｔ）、ＴＥ（ｔｅｒｍｉｎａｌ  ｅｑｕｉｐｍｅｎｔ）、ＡＭＳ（ａｄｖａｎｃｅｄ  ｍｏｂｉｌｅ  ｓｔａｔｉｏｎ）、ＨＲ−ＭＳ（ｈｉｇｈ  ｒｅｌｉａｂｉｌｉｔｙ−ｍｏｂｉｌｅ  ｓｔａｔｉｏｎ）、ターミナル（ｔｅｒｍｉｎａｌ）、アクセスターミナル（ａｃｃｅｓｓ  ｔｅｒｍｉｎａｌ）、モバイルターミナル（ｍｏｂｉｌｅ  ｔｅｒｍｉｎａｌ）、ステーション（ｓｔａｔｉｏｎ）、加入者ステーション（ｓｕｂｓｃｒｉｂｅｒ  ｓｔａｔｉｏｎ）、モバイルステーション（ｍｏｂｉｌｅ  ｓｔａｔｉｏｎ）、携帯加入者ステーション（ｐｏｒｔａｂｌｅ  ｓｕｂｓｃｒｉｂｅｒ  ｓｔａｔｉｏｎ）、ノード（ｎｏｄｅ）、デバイス（ｄｅｖｉｃｅ）、ＯＢＵ（ｏｎ  ｂｏａｒｄ  ｕｎｉｔ）等と呼ばれ得る。
【００４０】
一方、複数の基地局１１０−１、１１０−２、１１０−３、１２０−１、１２０−２のそれぞれは互いに異なる周波数帯域で動作することができ、または同じ周波数帯域で動作することができる。複数の基地局１１０−１、１１０−２、１１０−３、１２０−１、１２０−２のそれぞれはアイディアルバックホールリンク（ｉｄｅａｌ  ｂａｃｋｈａｕｌ  ｌｉｎｋ）またはノン（ｎｏｎ）−アイディアルバックホールリンクを通じて連結され得、アイディアルバックホールリンクまたはノン−アイディアルバックホールリンクを通じて情報を交換することができる。複数の基地局１１０−１、１１０−２、１１０−３、１２０−１、１２０−２のそれぞれはアイディアルバックホールリンクまたはノン−アイディアルバックホールリンクを通じてコアネットワークと連結され得る。複数の基地局１１０−１、１１０−２、１１０−３、１２０−１、１２０−２のそれぞれはコアネットワークから受信した信号を該当端末１３０−１、１３０−２、１３０−３、１３０−４、１３０−５、１３０−６に伝送することができ、該当端末１３０−１、１３０−２、１３０−３、１３０−４、１３０−５、１３０−６から受信した信号をコアネットワークに伝送することができる。
【００４１】
また、複数の基地局１１０−１、１１０−２、１１０−３、１２０−１、１２０−２のそれぞれは、ＭＩＭＯ伝送（例えば、ＳＵ（ｓｉｎｇｌｅ  ｕｓｅｒ）−ＭＩＭＯ、ＭＵ（ｍｕｌｔｉ  ｕｓｅｒ）−ＭＩＭＯ、大規模（ｍａｓｓｉｖｅ）ＭＩＭＯなど）、ＣｏＭＰ（ｃｏｏｒｄｉｎａｔｅｄ  ｍｕｌｔｉｐｏｉｎｔ）伝送、キャリア集成（ｃａｒｒｉｅｒ  ａｇｇｒｅｇａｔｉｏｎ、ＣＡ）伝送、非免許帯域（ｕｎｌｉｃｅｎｓｅｄ  ｂａｎｄ）で伝送、端末間直接通信（ｄｅｖｉｃｅ  ｔｏ  ｄｅｖｉｃｅ  ｃｏｍｍｕｎｉｃａｔｉｏｎ、Ｄ２Ｄ）（またはＰｒｏＳｅ（ｐｒｏｘｉｍｉｔｙ  ｓｅｒｖｉｃｅｓ））、ＩｏＴ（Ｉｎｔｅｒｎｅｔ  ｏｆ  Ｔｈｉｎｇｓ）通信、二重連結性（ｄｕａｌ  ｃｏｎｎｅｃｔｉｖｉｔｙ、ＤＣ）等を支援することができる。ここで、複数の端末１３０−１、１３０−２、１３０−３、１３０−４、１３０−５、１３０−６のそれぞれは、基地局１１０−１、１１０−２、１１０−３、１２０−１、１２０−２と対応する動作、基地局１１０−１、１１０−２、１１０−３、１２０−１、１２０−２により支援される動作を遂行することができる。例えば、第２基地局１１０−２はＳＵ−ＭＩＭＯ方式に基づいて信号を第４端末１３０−４に伝送することができ、第４端末１３０−４はＳＵ−ＭＩＭＯ方式によって第２基地局１１０−２から信号を受信することができる。または第２基地局１１０−２はＭＵ−ＭＩＭＯ方式に基づいて信号を第４端末１３０−４および第５端末１３０−５に伝送することができ、第４端末１３０−４および第５端末１３０−５のそれぞれはＭＵ−ＭＩＭＯ方式によって第２基地局１１０−２から信号を受信することができる。
【００４２】
第１基地局１１０−１、第２基地局１１０−２および第３基地局１１０−３のそれぞれはＣｏＭＰ方式に基づいて信号を第４端末１３０−４に伝送することができ、第４端末１３０−４はＣｏＭＰ方式によって第１基地局１１０−１、第２基地局１１０−２および第３基地局１１０−３から信号を受信することができる。複数の基地局１１０−１、１１０−２、１１０−３、１２０−１、１２０−２のそれぞれは、自分のセルカバレッジ内に属した端末１３０−１、１３０−２、１３０−３、１３０−４、１３０−５、１３０−６とＣＡ方式に基づいて信号を送受信することができる。第１基地局１１０−１、第２基地局１１０−２および第３基地局１１０−３のそれぞれは第４端末１３０−４と第５端末１３０−５間のＤ２Ｄを制御することができ、第４端末１３０−４および第５端末１３０−５のそれぞれは第２基地局１１０−２および第３基地局１１０−３のそれぞれの制御によってＤ２Ｄを遂行することができる。
【００４３】
一方、通信システムで広い周波数帯域を効率的に使うために、ＮＲによって支援されるシステム帯域幅はＬＴＥによって支援されるシステム帯域幅より広くてもよい。例えば、ＬＴＥによって支援される最大システム帯域幅は２０ＭＨｚであり得、ＮＲによって支援される最大システム帯域幅は４００ＭＨｚであり得る。また、ＬＴＥによって支援される最小システム帯域幅は１．４ＭＨｚであり得る。反面、６ＧＨｚ以下の周波数帯域でＮＲによって支援される最小システム帯域幅は５ＭＨｚであり得、６ＧＨｚ以上の周波数帯域でＮＲによって支援される最小システム帯域幅は５０ＭＨｚであり得る。
【００４４】
ＬＴＥとは異なり、ＮＲは端末の多様な帯域幅ケイパビリティ（ｃａｐａｂｉｌｉｔｙ）を支援することができる。ＬＴＥでＭＴＣ（ｍａｃｈｉｎｅ  ｔｙｐｅ  ｃｏｍｍｕｎｉｃａｔｉｏｎ）端末を除いた一般の端末は２０ＭＨｚの最大システム帯域幅を支援することができる。反面、ＮＲで４００ＭＨｚの最大システム帯域幅は一部の端末によって支援され得る。例えば、特定の端末によって支援可能な最大システム帯域幅は２０ＭＨｚであり得、他の端末によって支援可能な最大システム帯域幅は１００ＭＨｚであり得る。ただし、ＮＲで最小システム帯域幅はすべての端末において共通して定義され得る。例えば、６ＧＨｚ以下の周波数帯域ですべての端末に適用されるＮＲの最小システム帯域幅は２０ＭＨｚであり得る。帯域幅ケイパビリティはシステム帯域幅により定義され得る。または帯域幅ケイパビリティはシステム帯域幅以外の他の要素（例えば、ＦＦＴ（ｆａｓｔ  Ｆｏｕｒｉｅｒ  ｔｒａｎｓｆｏｒｍ）の大きさ、副搬送波の個数など）により定義され得る。
【００４５】
したがって、多様な帯域幅ケイパビリティを有する端末は同じ広帯域（ｗｉｄｅｂａｎｄ）キャリアで動作することができる。この場合、キャリアを集成することなく単一キャリアの動作によって広帯域キャリアの全体帯域幅（例えば、システム帯域幅）で動作できる帯域幅ケイパビリティを有する端末は、「広帯域端末」と呼ばれ得る。単一キャリアの動作によって広帯域キャリアの一部の帯域幅でのみ動作できる帯域幅ケイパビリティを有する端末は、「狭帯域（ｎａｒｒｏｗｂａｎｄ）端末」と呼ばれ得る。また、広帯域キャリアの一部の周波数領域が独立的なキャリアとして使われる場合、独立的なキャリアは広帯域キャリアと相対的な意味である「狭帯域キャリア」と呼ばれ得る。
【００４６】
例えば、１００ＭＨｚのシステム帯域幅を有するキャリアが存在することができ、１００ＭＨｚの帯域幅内で２０ＭＨｚのシステム帯域幅を有する５個のキャリアはシステム帯域幅が重なることなく存在することができる。この場合、１００ＭＨｚのシステム帯域幅を有するキャリアは「広帯域キャリア」と呼ばれ得、２０ＭＨｚのシステム帯域幅を有するキャリアは「狭帯域キャリア」と呼ばれ得る。また、狭帯域キャリアは広帯域キャリア内の一部の周波数領域であるため、「広帯域−サブキャリア」と呼ばれ得る。
【００４７】
広帯域キャリアで広帯域端末と狭帯域端末をすべて支援するために、帯域幅部分（ｂａｎｄｗｉｄｔｈ  ｐａｒｔ）が使われ得る。帯域幅部分は周波数軸で連続したＰＲＢ（ｐｈｙｓｉｃａｌ  ｒｅｓｏｕｒｃｅ  ｂｌｏｃｋ）の集合で定義され得、一つの帯域幅部分内で制御チャネルまたはデータチャネルの伝送のために、少なくとも一つのヌメロロジー（ｎｕｍｅｒｏｌｏｇｙ）（例えば、副搬送波間隔（ｓｕｂｃａｒｒｉｅｒ  ｓｐａｃｉｎｇ）およびＣＰ（ｃｙｃｌｉｃ  ｐｒｅｆｉｘ）の長さ）が使われ得る。
【００４８】
基地局は一つ以上の端末特定的帯域幅部分（ＵＥ−ｓｐｅｃｉｆｉｃ  ｂａｎｄｗｉｄｔｈ  ｐａｒｔ）を設定することができ、一つ以上の端末特定的帯域幅部分の設定情報をシグナリング手続きを通じて端末に知らせることができる。下記の実施例でシグナリング手続きは、上位階層シグナリング手続き（例えば、ＲＲＣ（ｒａｄｉｏ  ｒｅｓｏｕｒｃｅ  ｃｏｎｔｒｏｌ）シグナリング手続き）および物理階層シグナリング手続き（例えば、ＤＣＩ（ｄｏｗｎｌｉｎｋ  ｃｏｎｔｒｏｌ  ｉｎｆｏｒｍａｔｉｏｎ）シグナリング手続き）のうち、少なくとも一つを意味し得る。端末は基地局によって設定された帯域幅部分内のＰＲＢまたはＲＢＧ（ｒｅｓｏｕｒｃｅ  ｂｌｏｃｋ  ｇｒｏｕｐ）を周波数軸の資源割当単位に使うことによって、データチャネルの送受信動作（例えば、ＰＤＳＣＨ（ｐｈｙｓｉｃａｌ  ｄｏｗｎｌｉｎｋ  ｓｈａｒｅｄ  ｃｈａｎｎｅｌ）受信動作またはＰＵＳＣＨ（ｐｈｙｓｉｃａｌ  ｕｐｌｉｎｋ  ｓｈａｒｅｄ  ｃｈａｎｎｅｌ）送信動作）を遂行することができる。
【００４９】
ＲＢＧはビットマップ（ｂｉｔｍａｐ）基盤の周波数軸資源割当方式（例えば、ＮＲのタイプ０資源割当方式）のために使われ得、ビットマップの各ビットを通じてＲＢＧのそれぞれの資源割当の有無が指示され得る。一つのＲＢＧは周波数軸で連続した一つ以上のＰＲＢで構成され得、ＲＢＧ当たりＰＲＢの個数は規格にあらかじめ定義され得る。または基地局はＲＢＧ当たりＰＲＢの個数をシグナリング手続きを通じて端末に知らせることができる。一つのＴＢ（ｔｒａｎｓｐｏｒｔ  ｂｌｏｃｋ）は一つの帯域幅部分内で伝送され得る。または一つのＴＢが複数の帯域幅部分を通じて伝送されることが許容されてもよい。
【００５０】
帯域幅部分の設定情報はシグナリング手続きを通じて基地局から端末に伝送され得る。帯域幅部分の設定情報は帯域幅部分のヌメロロジー（例えば、副搬送波間隔、ＣＰ長など）、開始ＰＲＢの位置、ＰＲＢの個数などを含むことができる。開始ＰＲＢの位置は共通ＲＢ（ｒｅｓｏｕｒｃｅ  ｂｌｏｃｋ）グリッド上にてＲＢインデックスで表現され得る。一つのキャリア内でアップリンクおよびダウンリンクのそれぞれに対して最大４個の帯域幅部分が端末のために設定され得る。ＴＤＤ（ｔｉｍｅ  ｄｉｖｉｓｉｏｎ  ｄｕｐｌｅｘ）基盤の通信システムで、アップリンクおよびダウンリンクのための帯域幅部分の対が設定され得る。
【００５１】
端末に設定された帯域幅部分のうち、少なくとも一つの帯域幅部分が活性化され得る。例えば、一つのキャリア内で一つのアップリンク帯域幅部分および一つのダウンリンク帯域幅部分が活性化され得る。ＴＤＤ基盤の通信システムで、アップリンクおよびダウンリンクのための一つの帯域幅部分の対が活性化され得る。
【００５２】
一つのキャリア内で複数の帯域幅部分が設定される場合、活性（ａｃｔｉｖｅ）帯域幅部分はスイッチングされ得る。例えば、既存の活性帯域幅部分の非活性化動作および新しい帯域幅部分の活性化動作が遂行され得る。ＦＤＤ（ｆｒｅｑｕｅｎｃｙ  ｄｉｖｉｓｉｏｎ  ｄｕｐｌｅｘ）基盤の通信システムで、アップリンクおよびダウンリンクのそれぞれで帯域幅部分のスイッチング方法が適用され得、ＴＤＤ基盤の通信システムで、アップリンクおよびダウンリンクのための帯域幅部分の対がスイッチングされ得る。活性帯域幅部分のスイッチング方法は上位階層シグナリング手続き（例えば、ＲＲＣシグナリング手続き）により遂行され得る。
【００５３】
または活性帯域幅部分のスイッチング方法は、物理階層シグナリング手続き（例えば、ＤＣＩのシグナリング手続き）により動的に遂行され得る。この場合、ＤＣＩに含まれた「帯域幅部分指示子フィールド」は活性化が要請される帯域幅部分のインデックスを指示することができる。ＤＣＩが基地局から受信され、ＤＣＩに含まれた帯域幅指示子フィールドによって指示される帯域幅部分が現在の活性帯域幅部分と異なる場合、端末は現在の活性帯域幅部分がＤＣＩによって指示される帯域幅部分にスイッチングされると判断することができる。ここで、ＤＣＩはデータチャネル（例えば、ＰＤＳＣＨまたはＰＵＳＣＨ）のスケジューリング情報を含むことができる。この場合、ＤＣＩによってスケジューリングされるデータチャネルはＤＣＩの帯域幅部分指示子フィールドによって指示される帯域幅部分を通じて伝送され得る。
【００５４】
一方、ＮＲのシステム情報は最小システム情報（ｍｉｎｉｍｕｍ  ｓｙｓｔｅｍ  ｉｎｆｏｒｍａｔｉｏｎ；ＭＳＩ）および残りのシステム情報（ｏｔｈｅｒ  ｓｙｓｔｅｍ  ｉｎｆｏｒｍａｔｉｏｎ；ＯＳＩ）に分類され得る。ＭＳＩの中で一部のＭＳＩ（例えば、ＭＩＢ（ｍａｓｔｅｒ  ｉｎｆｏｒｍａｔｉｏｎ  ｂｌｏｃｋ））はＰＢＣＨ（ｐｈｙｓｉｃａｌ  ｂｒｏａｄｃａｓｔ  ｃｈａｎｎｅｌ）を通じて伝送され得、ＭＳＩの中で残りのＭＳＩ（例えば、ＳＩＢ−１、ＳＩＢ−２等）はＰＤＳＣＨを通じて伝送され得る。下記で説明される実施例で一部のＭＳＩ（例えば、ＭＩＢ）は「ＰＢＣＨ」と呼ばれ得る。
【００５５】
残りのＭＳＩ（ｒｅｍａｉｎｉｎｇ  ｍｉｎｉｍｕｍ  ｓｙｓｔｅｍ  ｉｎｆｏｒｍａｔｉｏｎ；ＲＭＳＩ）が伝送されるＰＤＳＣＨは、ＰＤＣＣＨ（ｐｈｙｓｉｃａｌ  ｄｏｗｎｌｉｎｋ  ｃｏｎｔｒｏｌ  ｃｈａｎｎｅｌ）（例えば、ＰＤＣＣＨに含まれたＤＣＩ）によりスケジューリングされ得、ＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ）でスクランブリングされた（ｓｃｒａｍｂｌｅｄ）ＣＲＣ（ｃｙｃｌｉｃ  ｒｅｄｕｎｄａｎｃｙ  ｃｈｅｃｋ）がＰＤＣＣＨに適用され得る。下記の実施例で「ＰＤＳＣＨがＰＤＣＣＨによってスケジューリングされること」は、「ＰＤＳＣＨのスケジューリング情報を含むＤＣＩがＰＤＣＣＨを通じて伝送されること」を意味し得る。ＰＢＣＨ（例えば、ＭＩＢ）、ＲＭＳＩ、およびＯＳＩは基地局のセルカバレッジ全域に放送され得る。ビームフォーミング基盤の通信システム（例えば、ミリ波帯域（ｍｉｌｌｉｍｅｔｅｒ  ｗａｖｅ  ｂａｎｄ）を支援する通信システム）で、ＰＢＣＨ（例えば、ＭＩＢ）、ＲＭＳＩ、およびＯＳＩはビームスイーピング（ｂｅａｍ  ｓｗｅｅｐｉｎｇ）方式に基づいて基地局のセルカバレッジ全域に伝送され得る。
【００５６】
ＮＲでＳＳ（ｓｙｎｃｈｒｏｎｉｚａｔｉｏｎ  ｓｉｇｎａｌ）／ＰＢＣＨブロックは、ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、およびＰＢＣＨで構成され得る。また、ＳＳ／ＰＢＣＨブロックはＰＢＣＨの復調のためのＤＭＲＳ（ｄｅｍｏｄｕｌａｔｉｏｎ  ｒｅｆｅｒｅｎｃｅ  ｓｉｇｎａｌ）を含むことができる。一つのＳＳ／ＰＢＣＨブロックは一つのＰＳＳ（またはＰＳＳのための資源）、一つのＳＳＳ（またはＳＳＳのための資源）、および一つのＰＢＣＨ（またはＰＢＣＨのための資源）を含むことができ、一つのＳＳバーストセット（ｂｕｒｓｔ  ｓｅｔ）（例えば、ＳＳバーストセットの一つの区間）は複数のＳＳ／ＰＢＣＨブロックを含むことができる。例えば、３ＧＨｚ以下の周波数帯域でＳＳバーストセットは最大４個のＳＳ／ＰＢＣＨブロックを含むことができ、３〜６ＧＨｚ周波数帯域でＳＳバーストセットは最大８個のＳＳ／ＰＢＣＨブロックを含むことができ、６ＧＨｚ以上の周波数帯域でＳＳバーストセットは最大６４個のＳＳ／ＰＢＣＨブロックを含むことができる。ＳＳ／ＰＢＣＨブロックが伝送され得る候補資源位置は規格に定義され得、基地局は規格に定義された候補資源位置でＳＳ／ＰＢＣＨブロックを伝送することができる。または基地局は規格に定義された候補資源位置でＳＳ／ＰＢＣＨブロックを伝送しないことができる。
【００５７】
ＮＲでランダムアクセス（ｒａｎｄｏｍ  ａｃｃｅｓｓ）手続きは４段階で構成され得る。１段階で、ＲＲＣ連結を試みる端末はあらかじめ設定された資源領域でＰＲＡＣＨ（ｐｈｙｓｉｃａｌ  ｒａｎｄｏｍ  ａｃｃｅｓｓ  ｃｈａｎｎｅｌ）（例えば、Ｍｓｇ１（ｍｅｓｓａｇｅ１）、ランダムアクセスプリアンブル）を基地局に伝送することができる。２段階で、ＰＲＡＣＨを受信した基地局はＰＲＡＣＨに対する応答であるランダムアクセス応答（ｒａｎｄｏｍ  ａｃｃｅｓｓ  ｒｅｓｐｏｎｓｅ；ＲＡＲ）メッセージ（例えば、Ｍｓｇ２）をあらかじめ設定された時間（例えば、ＲＡＲウインドウ）内に端末に伝送することができる。ＲＡＲメッセージはＰＤＳＣＨを通じて伝送され得、ＲＡＲメッセージを含むＰＤＳＣＨはＰＤＣＣＨによってスケジューリングされ得る。
【００５８】
３段階で、ＲＡＲメッセージを受信した端末はＲＡＲメッセージによって指示されるアップリンク資源領域（例えば、ＰＵＳＣＨ）からＭｓｇ３を基地局に伝送することができる。Ｍｓｇ３はＲＲＣ連結要請メッセージを含むことができる。４段階で、Ｍｓｇ３を受信した基地局は複数の端末の同時接続によって発生する衝突を解決するために、Ｍｓｇ４を端末に伝送することができる。Ｍｓｇ４はＰＤＳＣＨを通じて伝送され得、Ｍｓｇ４を含むＰＤＳＣＨはＰＤＣＣＨを通じてスケジューリングされ得る。
【００５９】
ＮＲでＰＤＣＣＨを構成する資源の最小単位はＲＥＧ（ｒｅｓｏｕｒｃｅ  ｅｌｅｍｅｎｔ  ｇｒｏｕｐ）であり得る。ＲＥＧは周波数軸で１個のＰＲＢ（例えば、１２個の副搬送波）および時間軸で１個のシンボル（例えば、ＯＦＤＭシンボル）で構成され得る。したがって、１個のＲＥＧは１２個のＲＥ（ｒｅｓｏｕｒｃｅ  ｅｌｅｍｅｎｔ）を含むことができる。１個のＲＥＧ内で一部のＲＥはＰＤＣＣＨの復調のためのＤＭＲＳの伝送のために使われ得る。一つのＰＤＣＣＨ候補（ｃａｎｄｉｄａｔｅ）は一つのＣＣＥ（ｃｏｎｔｒｏｌ  ｃｈａｎｎｅｌ  ｅｌｅｍｅｎｔ）または集成された（ａｇｇｒｅｇａｔｅｄ）ＣＣＥで構成され得、一つのＣＣＥは複数のＲＥＧ（例えば、６個のＲＥＧ）で構成され得る。
【００６０】
制御資源集合（ｃｏｎｔｒｏｌ  ｒｅｓｏｕｒｃｅ  ｓｅｔ；ＣＯＲＥＳＥＴ）は端末がＰＤＣＣＨのブラインド復号（ｂｌｉｎｄ  ｄｅｃｏｄｉｎｇ）を遂行する資源領域であり得る。制御資源集合は複数のＲＥＧで構成され得る。制御資源集合は周波数軸で複数のＰＲＢおよび時間軸で一つ以上のシンボル（例えば、一つ以上のＯＦＤＭシンボル）で構成され得る。一つの制御資源集合を構成するシンボルは時間軸で連続的であり得、一つの制御資源集合を構成するＰＲＢは周波数軸で連続的または不連続的であり得る。
【００６１】
一つのセルまたは一つのキャリア内で一つ以上の制御資源集合が設定され得る。ＮＲは既存の通信システムに比べて広い帯域幅（例えば、最大４００ＭＨｚ）を有する単一キャリアを支援できるため、一つのキャリア内で複数の制御資源集合が設定され得る。また、一つの端末のための一つ以上の制御資源集合が設定され得る。一つの端末のための複数の制御資源集合が設定された場合にも、一つのＤＣＩは一つの制御資源集合内で伝送され得る。時間軸で制御資源集合の位置（例えば、端末が制御資源集合をモニタリングする区間）は基地局によって設定され得、基地局は時間軸で制御資源集合の位置を端末に知らせることができる。時間軸で制御資源集合の位置は多様な単位（例えば、スロット単位、シンボル単位）で設定され得る。
【００６２】
端末はＰＤＣＣＨを受信するためにＣＲＣ基盤のブラインド復号方式を使うことができる。ＰＤＣＣＨを通じて伝送されるＤＣＩは複数の端末で共通で使われる共通ＤＣＩ（ｃｏｍｍｏｎＤＣＩ）および特定の端末のための端末特定的ＤＣＩ（ＵＥ−ｓｐｅｃｉｆｉｃＤＣＩ）を含むことができる。例えば、共通ＤＣＩまたはグループ共通ＤＣＩは、システム情報の資源割当情報、ページング（ｐａｇｉｎｇ）メッセージ、電力制御命令、スロットフォーマット指示子（ｓｌｏｔ  ｆｏｒｍａｔ  ｉｎｄｉｃａｔｏｒ；ＳＦＩ）、プリエンプション指示子（ｐｒｅｅｍｐｔｉｏｎ  ｉｎｄｉｃａｔｉｏｎ；ＰＩ）等を含むことができる。端末特定的ＤＣＩはアップリンクデータチャネルのスケジューリング情報、ダウンリンクデータチャネルのスケジューリング情報などを含むことができる。また、ＰＤＣＣＨ探索空間は共通探索空間（ｃｏｍｍｏｎ  ｓｅａｒｃｈ  ｓｐａｃｅ）および端末特定的探索空間（ＵＥ−ｓｐｅｃｉｆｉｃ  ｓｅａｒｃｈ  ｓｐａｃｅ）に分類され得る。共通ＤＣＩは共通探索空間を通じて伝送され得、端末特定的ＤＣＩは端末特定的探索空間を通じて伝送され得る。またはスケジューリング自由度、フォールバック（ｆａｌｌｂａｃｋ）伝送などを考慮して、共通探索空間でも端末特定的ＤＣＩが伝送され得る。
【００６３】
一方、ＮＲのスロットフォーマットはダウンリンク区間、アンノウン（ｕｎｋｎｏｗｎ）区間、およびアップリンク区間の組み合わせで構成される。ダウンリンク区間、アンノウン区間およびアップリンク区間のそれぞれは一つ以上の連続したシンボルで構成され得る。１個のスロットは０個、１個、または２個のアンノウン区間を含むことができ、アンノウン区間はダウンリンク区間とアップリンク区間の間に配置され得る。
【００６４】
ＮＲのスロットフォーマットは上位階層シグナリングによって半固定的（ｓｅｍｉ−ｓｔａｔｉｃ）に設定され得る。半固定的に設定されるスロットフォーマットは「半固定的スロットフォーマット」と呼ばれ得る。半固定的スロットフォーマットはセル特定的（ｃｅｌｌ−ｓｐｅｃｉｆｉｃ）に設定され得、半固定的スロットフォーマットの設定情報はシステム情報または共通ＲＲＣ情報であり得る。また、半固定的スロットフォーマットは端末特定的ＲＲＣシグナリングを通じて端末別に追加に設定され得る。例えば、セル特定的シグナリング手続きによって設定されたスロットフォーマットによるアンノウン区間は、端末特定的ＲＲＣシグナリングによってダウンリンク区間またはアップリンク区間でオーバーライド（ｏｖｅｒｒｉｄｅ）され得る。
【００６５】
また、スロットフォーマットはＤＣＩによって動的に指示され得る。動的に設定されるスロットフォーマットは「動的スロットフォーマット」と呼ばれ得る。半固定的スロットフォーマット設定によるアンノウン区間は動的スロットフォーマット（例えば、ＳＦＩ）によりダウンリンク区間またはアップリンク区間でオーバーライドされ得る。一つのＳＦＩは一つ以上の連続したスロットに適用されるスロットフォーマットを指示することができ、一つのＳＦＩが適用されるスロットの個数はＳＦＩモニタリング周期より小さくてもよい。
【００６６】
＜アンカー（ａｎｃｈｏｒ）帯域幅部分＞
システム情報（例えば、ＭＳＩ、ＯＳＩ、ＲＭＳＩなど）およびページングメッセージはセル内で不特定複数の端末に放送され得る。したがって、複数の端末が同じＤＣＩを使ってシステム情報またはページングメッセージを含むＰＤＳＣＨを受信するために、共通ＰＲＢ集合および共通ヌメロロジーが定義され得る。共通ＰＲＢ集合および共通ヌメロロジーはアンカー帯域幅部分と定義され得る。
【００６７】
アンカー帯域幅部分は放送情報（例えば、ＲＭＳＩ、ＯＳＩ、ページングメッセージなど）の伝送のために使われ得、アンカー帯域幅部分はダウンリンクで定義され得る。アップリンクでＰＲＡＣＨ資源領域はアンカー帯域幅部分と関係なく別途に設定され得る。また、Ｍｓｇ３を伝送するためのＰＵＳＣＨ資源領域は、アンカー帯域幅部分の代わりに他の帯域幅部分上で割り当てられ得る。下記の実施例でアンカー帯域幅部分はダウンリンクで設定された帯域幅部分を意味し得る。
【００６８】
アンカー帯域幅部分が占有する周波数領域情報（例えば、ＰＲＢ個数、周波数位置など）は、ＳＳ／ＰＢＣＨブロックまたはＰＢＣＨの周波数領域から誘導され得る。またはアンカー帯域幅部分が占有する周波数領域はＰＢＣＨによって設定され得る。アンカー帯域幅部分のヌメロロジーはＰＢＣＨによって設定され得る。アンカー帯域幅部分のヌメロロジーはＳＳ／ＰＢＣＨブロックのためのヌメロロジーと異なり得る。例えば、ＳＳ／ＰＢＣＨブロックの伝送のために３０ｋＨｚの副搬送波間隔が使われ得、アンカー帯域幅部分内でＳＳ／ＰＢＣＨブロックを除いた物理チャネルの伝送のために１５ｋＨｚの副搬送波間隔が使われ得る。アンカー帯域幅部分の周波数領域を誘導または設定するために使われるＳＳ／ＰＢＣＨブロックの周波数領域は、該当アンカー帯域幅部分の周波数領域に含まれ得る。
【００６９】
一方、４段階のランダムアクセス手続きで、ＰＲＡＣＨを伝送した端末は基地局からＭｓｇ２を受信することを期待することができ、端末はＭｓｇ２をアンカー帯域幅部分で受信することができる。例えば、端末はアンカー帯域幅部分に設定されたＰＤＣＣＨ（例えば、アンカー帯域幅部分と論理的に結合された（ａｓｓｏｃｉａｔｅｄ）ＰＤＣＣＨ）からＭｓｇ２を含むＰＤＳＣＨをスケジューリングするＤＣＩを受信することができる。Ｍｓｇ２の受信時点で、端末のダウンリンク動作帯域幅はただアンカー帯域幅部分に限定され得る。この場合、端末がＭｓｇ２をアンカー帯域幅部分で受信するのは自然である。万一、Ｍｓｇ２の受信時点で端末のダウンリンク動作帯域幅がアンカー帯域幅部分の代わりに他の帯域幅部分に設定された場合、端末は他の帯域幅部分を通じてＭｓｇ２を受信することができる。ただし、他の帯域幅部分の設定情報を含むＰＢＣＨ（例えば、ＭＳＩ）またはＲＭＳＩが基地局に端末に伝送されなければならないため、シグナリングオーバーヘッドが増加し得る。
【００７０】
制御資源集合またはＰＤＣＣＨ共通探索空間はＰＢＣＨ（例えば、ＭＳＩ）またはＲＭＳＩによって設定され得る。ＰＢＣＨによって設定される共通探索空間はアンカー帯域幅部分と論理的に結合（ａｓｓｏｃｉａｔｅｄ）され得る。共通探索空間とアンカー帯域幅部分の論理的結合によって、共通探索空間でＤＣＩを受信した端末は、受信されたＤＣＩによってスケジューリングされるＰＤＳＣＨがアンカー帯域幅部分で伝送されるＰＤＳＣＨであると判断することができる。また、端末はＤＣＩによって指示されるＰＲＢインデックスまたはＲＢＧインデックスがアンカー帯域幅部分内で定義される局部的インデックス（ｌｏｃａｌ  ｉｎｄｅｘ）であると判断することができる。
【００７１】
アンカー帯域幅部分内で物理チャネルの復調に使われるＤＭＲＳはアンカー帯域幅部分を構成するＰＲＢを基準に生成され得、ＲＥ（ｒｅｓｏｕｒｃｅ  ｅｌｅｍｅｎｔ）にマッピングされ得る。例えば、アンカー帯域幅部分が２４個のＰＲＢで構成される場合、周波数軸でＤＭＲＳのマッピング開始点は２４個のＰＲＢのうち一つのＰＲＢであり得る。また、ＤＭＲＳのシークエンスの長さは２４個のＰＲＢを基準に定義され得る。例えば、ＤＭＲＳパターンが一つのＰＲＢでポート別４個のＲＥで構成される場合、ポート別ＤＭＲＳのシークエンスの長さは２４×４＝９６であり得る。
【００７２】
＜セカンダリー（ｓｅｃｏｎｄａｒｙ）帯域幅部分＞
ランダムアクセス手続きの４段階で、端末は基地局からＭｓｇ４を受信することを期待することができる。Ｍｓｇ４は特定の端末に伝送されるユニキャスト（ｕｎｉｃａｓｔ）データであり得る。Ｍｓｇ４を含むＰＤＳＣＨはＴＣ−ＲＮＴＩ（ｔｅｍｐｏｒａｒｙ  ｃｅｌｌ−ｒａｄｉｏ  ｎｅｔｗｏｒｋ  ｔｅｍｐｏｒａｒｙ  ｉｄｅｎｔｉｆｉｅｒ）またはＣ−ＲＮＴＩ（ｃｅｌｌ−ＲＮＴＩ）によりスクランブリングされるＤＣＩによってスケジューリングされ得る。端末はＭｓｇ４の受信時点またはＭｓｇ４の受信時点後からユニキャストデータを受信することができる。
【００７３】
Ｍｓｇ４またはユニキャストデータの伝送は一般的に端末特定的探索空間で獲得されたＤＣＩによってスケジューリングされ得る。しかし、場合によっては（例えば、フォールバック（ｆａｌｌｂａｃｋ））、Ｍｓｇ４またはユニキャストデータの伝送は共通探索空間で獲得されたＤＣＩによってスケジューリングされ得る。Ｍｓｇ４またはユニキャストデータの伝送は端末特定的ＤＣＩによってスケジューリングされるため、Ｍｓｇ４またはユニキャストデータのそれぞれはあえてアンカー帯域幅部分で伝送されなくてもよい。また、ユニキャストデータのＴＢの大きさが相対的に大きく、アンカー帯域幅部分の帯域幅が相対的に小さい場合、アンカー帯域幅部分の一つのスロットでスケジューリングされ得るＴＢの大きさは制限され得る。また、端末がアンカー帯域幅部分で放送情報を受信するために、ＱＣＬ（ｑｕａｓｉ  ｃｏ−ｌｏｃａｔｉｏｎ）仮定を恣意的に変更できる場合、端末がアンカー帯域幅部分でユニキャストデータを受信するためには、ＱＣＬ関連情報を基地局からシグナリングしないとできない。
【００７４】
したがって、ユニキャスト伝送のために別途の帯域幅部分が設定され得る。Ｍｓｇ４またはユニキャストデータの伝送のための帯域幅部分は端末の初期接続手続きを通じて設定され得る。Ｍｓｇ４またはユニキャストデータの伝送のための帯域幅部分は「セカンダリー帯域幅部分」と呼ばれ得る。セカンダリー帯域幅部分はダウンリンク伝送のために設定され得る。
【００７５】
一方、ＮＲで、帯域幅部分上で定義されるＰＲＢグリッドの他にも、広帯域動作を支援するためにさらに広い概念の共通ＲＢグリッドが使われ得る。共通ＲＢグリッドはキャリアや帯域幅部分によって物理的に占有される周波数領域にかかわらず、特定周波数領域内で基準となる仮想のＲＢグリッドと定義され得る。共通ＲＢグリッドはキャリアや帯域幅部分の設定基準として使われ得、共通ＲＢグリッドの特定ＲＢ（例えば、最初のＲＢまたは最初のＲＢ内の最初の副搬送波）の位置はＳＳ／ＰＢＣＨブロックの特定ＲＢ（例えば、最初のＲＢまたは最初のＲＢ内の最初の副搬送波）とのオフセットの形態で端末に設定され得る。共通ＲＢグリッドは副搬送波間隔別に定義され得る。
【００７６】
セカンダリー帯域幅部分内で物理チャネルの復調に使われるＤＭＲＳは共通ＲＢグリッドを基準に生成され得、ＲＥにマッピングされ得る。例えば、共通ＲＢグリッドのＲＢ＃１００は第１端末に設定された特定帯域幅部分のＰＲＢ＃０であり得、同時に第２端末に設定された特定帯域幅部分のＰＲＢ＃５０であり得る。この場合、ＤＭＲＳは特定帯域幅部分内の局部的ＰＲＢインデックスにかかわらず、共通ＲＢグリッドのＲＢインデックス（すなわち、ＲＢ＃１００）を基準に生成され得、ＲＥにマッピングされ得る。
【００７７】
したがって、基地局はＣＤＭ（ｃｏｄｅ  ｄｉｖｉｓｉｏｎ  ｍｕｌｔｉｐｌｅｘｉｎｇ）方式に基づいて第１端末のためのＤＭＲＳと第２端末のためのＤＭＲＳを生成することができ、第１端末のためのＤＭＲＳと第２端末のためのＤＭＲＳを同一のＲＥにマッピングすることができる。また、セカンダリー帯域幅部分内で伝送されるＲＳ（例えば、ＣＳＩ−ＲＳ、ＳＲＳ）は共通ＲＢグリッドを基準に生成され得、ＲＥにマッピングされ得る。セカンダリー帯域幅部分が端末特定的帯域幅部分と重なる場合、同一のＲＳ（例えば、ＣＳＩ−ＲＳ、ＳＲＳ）はセカンダリー帯域幅部分および端末特定的帯域幅部分ですべて使われ得る。これに伴い、ＲＳオーバーヘッドが減少し得る。
【００７８】
前述した効果を迅速に取得するために、セカンダリー帯域幅部分は端末に最大限早い時点で設定されることが有利であり得る。これに伴い、セカンダリー帯域幅部分はＭｓｇ２によって端末に設定され得る。端末はＰＤＳＣＨを通じて受信されたＭｓｇ２からセカンダリー帯域幅部分の設定情報を獲得することができ、獲得された設定情報に基づいてセカンダリー帯域幅部分を構成することができる。Ｍｓｇ２を通じてセカンダリー帯域幅部分の設定情報が伝送されることは、ＲＭＳＩを通じてセカンダリー帯域幅部分の設定情報が伝送されることに比べて長所を有し得る。
【００７９】
多重ビームを使う通信システムで、ＲＭＳＩはセル全域をカバーするために、ビームスイーピングにより複数回伝送され得る。Ｍｓｇ２はＭｓｇ１を伝送した端末に伝送されるため、多重ビームを使う通信システムでセカンダリー帯域幅部分の設定情報の伝送回数を減らすことができる。例えば、基地局はＰＲＡＣＨ（すなわち、Ｍｓｇ１）の受信のために使われたビームと同一のビームを使ってＰＲＡＣＨを伝送した端末にＭｓｇ２を伝送することができる。前述した方法によると、Ｍｓｇ２まではアンカー帯域幅部分で伝送され得、Ｍｓｇ４またはユニキャストデータはセカンダリー帯域幅部分で伝送され得る。この場合、セカンダリー帯域幅部分の設定情報がＭｓｇ２より早い時点で伝送される必要はない。
【００８０】
前述した方法によると、アンカー帯域幅部分はＰＢＣＨを通じて設定または誘導され得、セカンダリー帯域幅部分はＭｓｇ２を通じて設定され得る。一方、基地局はＭｓｇ２を符号化（ｅｎｃｏｄｉｎｇ）する時点で、初期接続を試みる端末の帯域幅のケイパビリティが分かり難いこともある。したがって、アンカー帯域幅部分およびセカンダリー帯域幅部分のそれぞれの大きさは、すべての端末が共通で支援する最小帯域幅以下に設定され得る。例えば、端末の最小帯域幅が２０ＭＨｚである場合、アンカー帯域幅部分およびセカンダリー帯域幅部分のそれぞれの大きさは２０ＭＨｚ以下に設定され得る。セカンダリー帯域幅部分は特定の端末の代わりに複数の端末に共通して設定され得る。例えば、セカンダリー帯域幅部分の設定情報はセル特定的または端末グループ特定的であり得る。例えば、セカンダリー帯域幅部分がＭｓｇ２によって設定される場合、一つのアンカー帯域幅部分内で同一のセカンダリー帯域幅部分の設定情報が伝送され得る。Ｍｓｇ２が端末特定的情報を含む場合にも、一つのアンカー帯域幅部分内で同一のセカンダリー帯域幅部分の設定情報が伝送され得る。
【００８１】
セカンダリー帯域幅部分は初期接続を試みる端末が一時的に使う帯域幅部分であり得る。ＮＲは多様な帯域幅ケイパビリティを有する端末を支援するため、端末は基地局が端末の帯域幅ケイパビリティの情報を取得する前までセカンダリー帯域幅部分で端末特定的データを伝送することができる。一方、基地局は初期接続を試みる端末の帯域幅ケイパビリティの情報を取得した後に、下記の二つの方法に基づいて動作することができる。
【００８２】
第１の方法として、基地局はセカンダリー帯域幅部分の大きさ（例えば、２０ＭＨｚ）より広い帯域幅（例えば、１００ＭＨｚ）を支援する端末（例えば、広帯域端末）に広帯域キャリアの設定情報を知らせることができ、追加に端末のための新しい帯域幅部分を設定することができる。端末のための新しい帯域幅部分はＲＲＣシグナリングによって設定され得、ダウンリンクおよびアップリンクのそれぞれのために設定され得る。新しい帯域幅部分が設定された場合、端末は広帯域キャリア内の新しい帯域幅部分を使って伝送を遂行することができる。この場合、端末はセカンダリー帯域幅部分を使わなくてもよい。例えば、端末はセカンダリー帯域幅部分と論理的に結合された端末特定的探索空間をモニタリングしなくてもよい。または端末はセカンダリー帯域幅部分の設定を維持することができ、新しい帯域幅部分とセカンダリー帯域幅部分をすべて使って伝送を遂行することができる。または新しい帯域幅部分が設定されていない場合、端末はセカンダリー帯域幅部分を使って伝送を遂行することができる。
【００８３】
第２の方法として、基地局はセカンダリー帯域幅部分の大きさ（例えば、２０ＭＨｚ）と同一または類似する帯域幅（例えば、２０ＭＨｚ）を支援する端末（例えば、狭帯域端末）に「セカンダリー帯域幅部分が狭帯域キャリアのシステム帯域幅（またはキャリア帯域幅、チャネル帯域幅）または有効ＰＲＢと見なされ、セカンダリー帯域幅部分がキャリアとして認識されること」を知らせることができる。端末がセカンダリー帯域幅部分をキャリアと見なす時点は基地局または端末の特定動作を基準に定義されてもよい。または端末がセカンダリー帯域幅部分をキャリアと見なす時点は基地局がシグナリングを通じて端末に知らせる時点から誘導されてもよい。例えば、基地局はセカンダリー帯域幅部分をキャリアと見なすように指示する指示子（例えば、１ビットの大きさを有する指示子）を端末に伝送することができる。
【００８４】
端末がセカンダリー帯域幅部分をキャリアと見なす場合に帯域幅部分を再設定することを防止するために、セカンダリー帯域幅部分の大きさ（例えば、ＰＲＢ個数）はＮＲが支援するシステム帯域幅のうち一つ（例えば、システム帯域幅に対応するＰＲＢ個数）に設定され得る。例えば、ＮＲが２０ＭＨｚのシステム帯域幅を支援する場合、セカンダリー帯域幅部分の大きさは２０ＭＨｚに設定され得る。またはＮＲが特定副搬送波間隔に対して１００個のＰＲＢを有するキャリアを支援する場合、セカンダリー帯域幅部分は周波数軸で連続した１００個のＰＲＢで構成され得る。
【００８５】
一方、ダウンリンクセカンダリー帯域幅部分の特徴は、ダウンリンクアンカー帯域幅部分に同一に適用され得る。例えば、Ｍｓｇ４またはユニキャストデータのそれぞれの伝送のためのＰＤＳＣＨはダウンリンクアンカー帯域幅部分で伝送され得る。Ｍｓｇ４またはユニキャストデータのそれぞれの伝送のためのＰＤＳＣＨをスケジューリングするＤＣＩが伝送される端末特定的探索空間は、アンカー帯域幅部分内で設定され得る。端末特定的探索空間はアンカー帯域幅部分と論理的に連結され得る。この場合、端末はアンカー帯域幅部分で共通探索空間および端末特定的探索空間をすべてモニタリングすることができる。
【００８６】
データチャネルが共通探索空間で受信された共通ＤＣＩによってスケジューリングされる場合、端末はデータチャネルのＤＭＲＳシークエンスがアンカー帯域幅部分内の局部的ＰＲＢインデックスに基づいて生成されるものと仮定することができる。例えば、データチャネルのＤＭＲＳシークエンスはアンカー帯域幅部分内で最初のＰＲＢ（例えば、ＰＲＢ＃０）または最初のＰＲＢの最初の副搬送波（例えば、副搬送波＃０）を基準に生成され得、ＲＥにマッピングされ得る。共通探索空間で受信された共通ＤＣＩは特定共通ＤＣＩであり得る。
【００８７】
データチャネルが端末特定的探索空間で受信されたＤＣＩによってスケジューリングされる場合、端末はデータチャネルのＤＭＲＳシークエンスが共通ＲＢグリッドのＲＢインデックスに基づいて生成されるものと仮定することができる。例えば、データチャネルのＤＭＲＳシークエンスは共通ＲＢグリッドの最初のＲＢ（例えば、ＲＢ＃０）または最初のＲＢの最初の副搬送波（例えば、副搬送波＃０）を基準に生成され得、ＲＥにマッピングされ得る。この方法は「方法１１０」と呼ばれ得る。
【００８８】
「方法１１０」で、特定共通ＤＣＩによってスケジューリングされるデータチャネルはＲＭＳＩを含むＰＤＳＣＨ（以下、「ＲＭＳＩ  ＰＤＳＣＨ」と呼ばれる）であり得る。ＲＭＳＩ  ＰＤＳＣＨの受信時点はＲＭＳＩ設定情報の獲得時点の前であるから、端末はＲＭＳＩ  ＰＤＳＣＨのＤＭＲＳシークエンスのＲＥマッピングのために共通ＲＢグリッドを使うことができない。したがって、ＲＭＳＩ  ＰＤＳＣＨのＤＭＲＳシークエンスのＲＥマッピングはアンカー帯域幅部分を基準に定義され得る。反面、Ｍｓｇ４またはユニキャストデータの受信時点はＲＭＳＩの受信時点後であり得る。したがって、ＲＭＳＩから共通ＲＢグリッドの設定情報を取得した後に、端末は共通ＲＢグリッドを基準としてＰＤＳＣＨのＤＭＲＳを生成することができ、ＤＭＲＳをＲＥにマッピングすることができる。
【００８９】
一方、ＲＲＣ連結状態で動作する端末はアンカー帯域幅部分の代わりに他の帯域幅部分でＲＭＳＩ  ＰＤＳＣＨを受信することができる。この場合、ＲＭＳＩ  ＰＤＳＣＨのＤＭＲＳの生成およびＲＥマッピング方式は共通ＲＢグリッドを基準に定義され得る。すなわち、「方法１１０」はアンカー帯域幅部分に適用され得る。
【００９０】
＜予約資源の設定＞
前方互換性を提供するために、ＮＲで特定時間−周波数資源は予約資源として設定され得る。端末は予約資源として設定された時間−周波数資源で基本的にいかなる信号も送受信しなくてもよい。基地局はＲＲＣシグナリング（例えば、システム情報のシグナリング、端末特定的ＲＲＣシグナリング）または物理階層シグナリング（例えば、共通ＤＣＩ、グループ共通ＤＣＩ、ダウンリンクスケジューリングのためのＤＣＩ）を通じて予約資源を設定することができる。また、基地局はＲＲＣシグナリングと物理階層シグナリングの組み合わせで予約資源を設定することができる。すなわち、基地局は予約資源の設定情報をＲＲＣシグナリングおよび物理階層シグナリングのうち、少なくとも一つを使って端末に伝送することができる。予約資源の時間軸設定単位（ｕｎｉｔまたはｇｒａｎｕｌａｒｉｔｙ）はＴ個のシンボルであり得、予約資源の周波数軸設定単位はＫ個の副搬送波またはＬ個のＰＲＢであり得る。ここで、Ｔ、Ｋ、およびＬのそれぞれは自然数であり得る。
【００９１】
例えば、「Ｔ＝１、Ｌ＝１」の場合、予約資源はシンボルおよびＰＲＢの組み合わせで設定され得る。予約資源は時間軸および周波数軸のうち、少なくとも一つで設定されてもよい。例えば、予約資源が時間軸でのみ設定される場合、周波数軸でキャリアの全帯域または予約資源が設定される帯域幅部分の全帯域が予約資源として設定されるものと仮定され得る。反面、予約資源が周波数軸でのみ設定される場合、時間軸ですべての資源が予約資源として設定されるものと仮定され得る。
【００９２】
一方、一つ以上の帯域幅部分が端末に設定される場合、基地局は帯域幅部分別に予約資源を設定することができる。この方法は「方法３００」と呼ばれ得る。「方法３００」で、時間−周波数軸で予約資源は帯域幅部分のそれぞれのヌメロロジー（例えば、副搬送波間隔およびＣＰ長）により設定され得、帯域幅部分のそれぞれが占有する物理資源に限定され得る。特に、周波数軸で予約資源は帯域幅部分のそれぞれを構成するＰＲＢまたは副搬送波で設定され得る。時間軸で帯域幅部分はすべての時間資源を含むことができ、時間軸で予約資源はシンボルまたはスロットで設定され得る。予約資源はアップリンク帯域幅部分およびダウンリンク帯域幅部分のそれぞれに設定され得る。
【００９３】
「方法３００」により第１帯域幅部分で端末のための第１予約資源が設定された場合、端末は第１予約資源内の第１帯域幅部分を通じていかなる物理階層信号／チャネル（例えば、第１帯域幅部分と論理的に結合された物理階層信号／チャネル）も伝送されないものと仮定することができる。ここで、物理階層信号は第１帯域幅部分に設定またはスケジューリングされるＤＭＲＳ、ＣＳＩ−ＲＳ、ＳＲＳ、ＰＴ−ＲＳ（ｐｈａｓｅ  ｔｒａｃｋｉｎｇ  ｒｅｆｅｒｅｎｃｅ  ｓｉｇｎａｌ）等であり得、物理階層チャネルは第１帯域幅部分に設定またはスケジューリングされる制御チャネル、データチャネルなどであり得る。特に、第１帯域幅部分にスケジューリングされるデータチャネル（例えば、ＰＤＳＣＨ、ＰＵＳＣＨ）の資源領域が第１予約資源を含む場合、データチャネルは第１予約資源に対してレートマッチング（ｒａｔｅ  ｍａｔｃｈｉｎｇ）されて伝送され得る。
【００９４】
反面、端末は第１予約資源内の他の帯域幅部分（例えば、第２帯域幅部分）で物理階層信号／チャネル（例えば、第２帯域幅部分と論理的に結合された物理階層信号／チャネル）を送受信することができる。ここで、物理階層信号は第１帯域幅部分の代わりに第２帯域幅部分に設定またはスケジューリングされるＤＭＲＳ、ＣＳＩ−ＲＳ、ＳＲＳ、ＰＴ−ＲＳなどであり得、物理階層チャネルは第１帯域幅部分の代わりに第２帯域幅部分に設定またはスケジューリングされる制御チャネル、データチャネルなどであり得る。前述した方法は、第１帯域幅部分が活性化または非活性化された場合のいずれにも適用され得る。第１帯域幅部分および第２帯域幅部分は基本的に同一の伝送方向（例えば、ダウンリンクまたはアップリンク）を有する帯域幅部分であり得る。または第１帯域幅部分の伝送方向は第２帯域幅部分の伝送方向と異なり得る。例えば、第１帯域幅部分はダウンリンク帯域幅部分であり得、第２帯域幅部分はアップリンク帯域幅部分であり得る。
【００９５】
例えば、連続した５０個のＰＲＢで構成される第１ダウンリンク帯域幅部分が端末に設定された場合、基地局は第１ダウンリンク帯域幅部分に対する予約資源を端末に設定することができる。例えば、第１ダウンリンク帯域幅部分がＰＲＢ＃０〜＃４９（すなわち、第１ダウンリンク帯域幅部分の局部的ＰＲＢ＃０〜＃４９）で構成された場合、基地局は第１ダウンリンク帯域幅部分内のＰＲＢ＃１０〜＃１９を周波数軸で予約資源として設定することができ、毎スロットで５番目および６番目のシンボルを時間軸で予約資源として設定することができる。端末は基地局によって予約資源として設定されたＰＲＢとシンボルの組み合わせに該当するＲＥでいかなる物理階層信号／チャネルも送受信されないものと仮定することができる。
【００９６】
ここで、第１ダウンリンク帯域幅部分を通じて伝送される物理階層チャネルは第１ダウンリンク帯域幅部分と論理的に結合されたＰＤＣＣＨ、ＰＤＣＣＨによってスケジューリングされるＰＤＳＣＨなどであり得、第１ダウンリンク帯域幅部分を通じて伝送される物理階層信号はＰＤＣＣＨおよびＰＤＳＣＨの復調のために使われるＤＭＲＳ、第１ダウンリンク帯域幅部分内に設定された参照信号などであり得る。また、端末は第１ダウンリンク帯域幅部分に設定された予約資源で第１ダウンリンク帯域幅部分に対して定義された他の動作（例えば、ＣＳＩ／ＲＲＭ（ｒａｄｉｏ  ｒｅｓｏｕｒｃｅ  ｍａｎａｇｅｍｅｎｔ）／ＲＬＭ（ｒａｄｉｏ  ｌｉｎｋ  ｍｏｎｉｔｏｒｉｎｇ）測定動作）を遂行しないことができる。
【００９７】
下記の実施例で、基地局が同一のキャリア内で第２ダウンリンク帯域幅部分を追加に端末に設定した場合が説明される。ここで、第２ダウンリンク帯域幅部分の周波数領域は第１ダウンリンク帯域幅部分の周波数領域と重なり得る。例えば、第２ダウンリンク帯域幅部分は連続した１００個のＰＲＢ（例えば、ＰＲＢ＃０〜＃９９）で構成され得、ＰＲＢ＃０〜＃４９が占有する周波数領域は第１ダウンリンク帯域幅部分の周波数領域と重なり得る。この場合、基地局は第２ダウンリンク帯域幅部分に対する予約資源を端末に設定することができる。例えば、基地局は第２ダウンリンク帯域幅部分内のＰＲＢ＃３０〜＃３９（すなわち、第２ダウンリンク帯域幅部分の局部的ＰＲＢ＃３０〜＃３９）を予約資源として設定することができる。端末は基地局によって設定された予約資源（例えば、ＰＲＢ＃３０〜＃３９）で第２ダウンリンク帯域幅部分を通じていかなる物理階層信号／チャネルも伝送されないものと仮定することができる。また、端末は第２ダウンリンク帯域幅部分に設定された予約資源で第２ダウンリンク帯域幅部分に対して定義された他の動作（例えば、ＣＳＩ／ＲＲＭ／ＲＬＭ測定）を遂行しないことができる。
【００９８】
一方、端末は第１ダウンリンク帯域幅部分に対して設定された予約資源で第２ダウンリンク帯域幅部分を通じての物理チャネル信号／チャネルの受信を期待することができる。例えば、端末は第１ダウンリンク帯域幅部分に対して設定された予約資源（例えば、「ＰＲＢ＃１０〜＃１９」と「毎スロットの５番目および６番目のシンボル」の組み合わせに該当するＲＥ）で第２ダウンリンク帯域幅部分にスケジューリングされるＰＤＳＣＨの受信を期待することができる。例えば、第２ダウンリンク帯域幅部分にスケジューリングされるＰＤＳＣＨはＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ）伝送のためのミニスロットＰＤＳＣＨであり得る。
【００９９】
すなわち、端末は第１ダウンリンク帯域幅部分を通じてｅＭＢＢ（ｅｎｈａｎｃｅｄ  Ｍｏｂｉｌｅ  ＢｒｏａｄＢａｎｄ）データを受信することができ、第２ダウンリンク帯域幅部分を通じてＵＲＬＬＣデータを受信することができる。基地局は第１ダウンリンク帯域幅部分内に予約資源を設定することによって該当予約資源を第２ダウンリンク帯域幅部分のＵＲＬＬＣ伝送のための物理資源として予約することができる。すなわち、第１ダウンリンク帯域幅部分にスケジューリングされるデータチャネル（例えば、ｅＭＢＢ伝送のためのデータチャネル）は第１ダウンリンク帯域幅部分内に設定された予約資源に対してレートマッチングされて伝送され得、したがって第１ダウンリンク帯域幅部分内に設定された予約資源は第２ダウンリンク帯域幅部分にスケジューリングされるデータチャネル（例えば、ＵＲＬＬＣ伝送のためのデータチャネル）の伝送のために使われ得る。物理資源の予約は前述した通り、上位階層シグナリングおよび物理階層シグナリングのうち、少なくとも一つを通じて設定され得る。ここで、予約資源基盤の通信のために重なった帯域幅部分（例えば、第１ダウンリンク帯域幅部分および第２ダウンリンク帯域幅部分）が同時に活性化され得る。
【０１００】
その反対に、端末は第２ダウンリンク帯域幅部分に対して設定された予約資源上で第１ダウンリンク帯域幅部分を通じて物理階層信号／チャネルの受信を期待することができる。例えば、端末は第２ダウンリンク帯域幅部分に対して予約資源として設定されたＰＲＢ＃３０〜＃３９番で第１ダウンリンク帯域幅部分にスケジューリングされるＰＤＳＣＨの受信を期待することができる。この場合、第１ダウンリンク帯域幅部分および第２ダウンリンク帯域幅部分は端末で同時に活性化され得る。複数の帯域幅部分が端末に設定される場合、端末は一つの帯域幅部分に対して設定された予約資源を使って他の帯域幅部分を通じての物理階層信号／チャネルの送受信動作を遂行することができる。前述した実施例はアップリンク帯域幅部分に対して同様に適用され得る。
【０１０１】
図３は、通信システムで「方法３００」による予約資源の設定方法の第１実施例を図示した概念図である。
【０１０２】
図３を参照すると、第１ダウンリンク帯域幅部分および第２ダウンリンク帯域幅部分は一つの端末に設定され得、第１ダウンリンク帯域幅部分の周波数領域は第２ダウンリンク帯域幅部分の周波数領域と重なり得る。基地局は第１ダウンリンク帯域幅部分と第２ダウンリンク帯域幅部分間の重なった資源領域で第１ダウンリンク帯域幅部分の一部の資源（すなわち、デュレーションがＴ２である資源領域）を予約資源として設定することができ、予約資源の設定情報を端末に伝送することができる。ここで、予約資源は第２ダウンリンク帯域幅部分でＰＤＳＣＨの伝送が可能な資源領域として設定され得る。この場合、予約資源は伝送デュレーション（ｔｒａｎｓｍｉｓｓｉｏｎ  ｄｕｒａｔｉｏｎ）が互いに異なる二つのＰＤＳＣＨを多重化するために使われ得る。
【０１０３】
端末は第１ダウンリンク帯域幅部分のうちで予約資源を除いた残りの資源領域を通じて伝送デュレーションがＴ１であるＰＤＳＣＨを受信することができ、予約資源を通じて伝送デュレーションがＴ２であるＰＤＳＣＨ（例えば、第２ダウンリンク帯域幅部分にスケジューリングされるＰＤＳＣＨ）を受信することができる。ここで、ＰＤＳＣＨ（例えば、第１ダウンリンク帯域幅部分で送受信されるＰＤＳＣＨ）は予約資源にレートマッチングされ得る。端末はデュレーションがＴ２である予約資源で第１ダウンリンク帯域幅部分にスケジューリングされるＰＤＳＣＨが受信されないものと仮定することができる。Ｔ１およびＴ２のそれぞれは一つ以上の連続したシンボルによって占有された時間区間であり得る。例えば、Ｔ１はスロット基盤のスケジューリングによるＰＤＳＣＨの伝送区間であり得、Ｔ２はミニスロット基盤のスケジューリングによるＰＤＳＣＨの伝送区間であり得る。例えば、Ｔ１はｅＭＢＢデータの伝送のために使われ得、Ｔ２はＵＲＬＬＣデータの伝送のために使われ得る。
【０１０４】
また、前述した動作はアップリンク伝送にも適用され得る。例えば、第１アップリンク帯域幅部分および第２アップリンク帯域幅部分は一つの端末に設定され得、第１アップリンク帯域幅部分の周波数領域は第２アップリンク帯域幅部分の周波数領域と重なり得る。基地局は第１アップリンク帯域幅部分と第２アップリンク帯域幅部分間の重なった資源領域で第１アップリンク帯域幅部分の一部の資源を予約資源として設定することができ、予約資源の設定情報を端末に伝送することができる。ここで、予約資源は第２アップリンク帯域幅部分でＰＵＳＣＨの伝送が可能な資源領域として設定され得る。
【０１０５】
基地局は第１アップリンク帯域幅部分のうちで予約資源を除いた残りの資源領域を通じて伝送デュレーションがＴ１であるＰＵＳＣＨを受信することができ、予約資源を通じて伝送デュレーションがＴ２であるＰＵＳＣＨ（例えば、第２アップリンク帯域幅部分にスケジューリングされるＰＵＳＣＨ）を受信することができる。ここで、ＰＵＳＣＨ（例えば、第１アップリンク帯域幅部分で送受信されるＰＵＳＣＨ）は予約資源にレートマッチングされ得る。端末はデュレーションがＴ２である予約資源で第１アップリンク帯域幅部分にスケジューリングされるＰＵＳＣＨを送信しないものと仮定することができる。
【０１０６】
前述した実施例（例えば、「方法３００」による実施例）によると、基地局はｅＭＢＢデータおよびＵＲＬＬＣデータを端末に効率的に伝送することができる。すなわち、ＵＲＬＬＣデータ伝送のための資源領域はあらかじめ予約され得、予約された資源領域でｅＭＢＢデータのためのＰＤＳＣＨまたはＰＵＳＣＨはマッピングされないこともある。したがって、ＵＲＬＬＣデータが発生した場合、基地局は予約された資源領域を通じてＵＲＬＬＣデータを早く端末に伝送することができる。万一ＵＲＬＬＣデータの伝送のための資源領域が予約されず、ＵＲＬＬＣデータが発生した時点のスロットでｅＭＢＢデータ伝送のためのＰＤＳＣＨまたはＰＵＳＣＨがすでにスケジューリングされている場合、基地局はＰＤＳＣＨまたはＰＵＳＣＨの伝送が完了した後にＵＲＬＬＣデータの伝送のためのスケジューリングを遂行することができる。または基地局はすでにスケジューリングされたＰＤＳＣＨまたはＰＵＳＣＨの資源領域でＵＲＬＬＣデータのためのＰＤＳＣＨまたはＰＵＳＣＨを伝送することができる。
【０１０７】
「すでにスケジューリングされたＰＤＳＣＨまたはＰＵＳＣＨの伝送が完了した後の資源領域にＵＲＬＬＣデータをスケジューリングする方式」は、スケジューリングの時間遅延が引き起こされるため、ＵＲＬＬＣの伝送要求事項を満足しないことができる。「すでにスケジューリングされたＰＤＳＣＨまたはＰＵＳＣＨの資源領域でＵＲＬＬＣデータのためのＰＤＳＣＨまたはＰＵＳＣＨを伝送する方式」はＵＲＬＬＣデータの伝送のための資源のプリエンプション（ｐｒｅｅｍｐｔｉｏｎ）方式に該当し、この場合に送受信機の複雑度が増加し得、プリエンプションの有無を端末に指示するためのシグナリングが追加に要求され得る。
【０１０８】
「方法３００」で帯域幅部分の交差（ｃｒｏｓｓ）スケジューリング方式が使われ得る。例えば、第１ダウンリンク帯域幅部分のＰＤＣＣＨが第２ダウンリンク帯域幅部分のＰＤＳＣＨをスケジューリングする場合、ＰＤＳＣＨは第１ダウンリンク帯域幅部分を通じてスケジューリングされたにもかかわらず、第２ダウンリンク帯域幅部分を通じて伝送される物理階層チャネルと見なされ得る。したがって、第１ダウンリンク帯域幅部分と第２ダウンリンク帯域幅部分が同時に活性化している場合、または第２ダウンリンク帯域幅部分だけが活性化している場合、端末は第１ダウンリンク帯域幅部分に設定された予約資源で第１ダウンリンク帯域幅部分を通じてスケジューリングされる第２ダウンリンク帯域幅部分のＰＤＳＣＨを受信することができる。
【０１０９】
一方、複数のキャリアは「方法３００」に基づいて設定され得る。例えば、基地局はキャリア別予約資源を設定することができ、予約資源の設定情報をシグナリング手続きを通じて端末に知らせることができる。複数のキャリアのそれぞれが互いに異なる周波数領域に定義される場合、キャリア別に予約資源が設定されるのは自然であり得る。一つに端末に設定／活性化した複数のキャリアのそれぞれの周波数領域が一部又は全部重なる場合、予約資源は複数のキャリアの間に重なった周波数領域で設定され得る。
【０１１０】
したがって、予約資源の設定動作および予約資源で端末動作はキャリア別に定義され得る。例えば、端末のために設定された第１キャリアおよび第２キャリアが活性化した場合、端末は第１キャリアに対して設定された予約資源で第１キャリアを通じての物理階層信号／チャネルが伝送されないことを仮定することができ、第２キャリアに対して設定された予約資源で第２キャリアを通じての物理階層信号／チャネルが伝送されないことを仮定することができる。
【０１１１】
反面、第１キャリアの予約資源が第２キャリアの物理資源と重なる場合、端末は第１キャリアの予約資源で第２キャリアを通じての物理階層信号／チャネルの伝送を期待することができる。また、第２キャリアの予約資源が第１キャリアの物理資源と重なる場合、端末は第２キャリアの予約資源で第１キャリアを通じての物理階層信号／チャネルの伝送を期待することができる。すなわち、端末に設定された複数のキャリアの間に周波数領域が重なる場合、特定キャリアに対して予約された資源は他のキャリアの物理階層信号／チャネルの伝送のために使われ得る。
【０１１２】
予約資源の物理階層シグナリングのためにＳＦＩが使われ得る。ＳＦＩはグループ共通ＰＤＣＣＨを通じて伝送されるＤＣＩに含まれ得る。ＳＦＩは一つ以上のスロットのそれぞれを構成するシンボルの種類（例えば、ダウンリンクシンボル、アップリンクシンボル、アンノウン（ｕｎｋｎｏｗｎ）シンボル）を端末に知らせるために使われ得る。端末はＳＦＩに基づいて確認されたダウンリンクシンボルでダウンリンク信号／チャネルの受信を期待することができ、ＳＦＩに基づいて確認されたアップリンクシンボルでアップリンク信号／チャネルの伝送を期待することができ、ＳＦＩに基づいて確認されたアンノウンシンボルで一般的にいかなる信号／チャネルも送受信されないものと仮定することができる。したがって、アンノウンシンボルで端末の動作は予約資源で端末の動作と類似し得る。
【０１１３】
一つの伝送方向（例えば、ダウンリンクまたはアップリンク）に対して複数の帯域幅部分が一つの端末に設定される場合、基地局は複数の帯域幅部分のそれぞれに対してグループ共通ＰＤＣＣＨを端末に伝送することができ、グループ共通ＰＤＣＣＨを通じて伝送されるＤＣＩは複数の帯域幅部分のそれぞれのＳＦＩを含むことができる。または複数の帯域幅部分のそれぞれのＳＦＩは一つのグループ共通ＰＤＣＣＨを通じて伝送されるＤＣＩに含まれ得る。例えば、一つのグループ共通ＰＤＣＣＨを通じて伝送されるＤＣＩは、複数のＳＦＩ、複数のＳＦＩのそれぞれが対応する帯域幅部分を指示する情報などを含むことができる。または複数のＳＦＩのそれぞれが対応する帯域幅部分を指示する情報はＤＣＩ代わりに上位階層シグナリングを通じて端末にあらかじめ設定され得る。スロット内のアンノウン領域（例えば、アンノウンシンボル）で端末動作および仮定は「方法３００」のように該当帯域幅部分（例えば、重なった帯域幅部分）に限定され得る。この方法は「方法３１０」と呼ばれ得る。
【０１１４】
一方、端末はグループ共通ＰＤＣＣＨを通じて受信された一つのＳＦＩを複数の帯域幅部分に適用することができる。例えば、端末は一つのキャリアで最大１個のグループ共通ＰＤＣＣＨを受信することができ、１個のグループ共通ＰＤＣＣＨは１個のＳＦＩを含むことができる。この場合、グループ共通ＰＤＣＣＨに含まれたＳＦＩが適用される帯域幅部分（例えば、有効帯域幅部分）とグループ共通ＰＤＣＣＨに含まれたＳＦＩが適用されない帯域幅部分（例えば、非有効帯域幅部分）は、上位階層シグナリングによってあらかじめ設定され得る。ＳＦＩによって設定されるダウンリンク領域、アップリンク領域、およびアンノウン領域は有効帯域幅部分でのみ有効であり得る。有効／非有効帯域幅部分の設定情報はＳＦＩとともにグループ共通ＰＤＣＣＨを通じて伝送され得る。
【０１１５】
ＮＲは複数のヌメロロジーを支援するので、ＳＦＩによって設定されるスロットフォーマットを解釈するための基準副搬送波間隔が考慮され得る。基地局は動的スロットフォーマットの基準副搬送波間隔を端末に設定することができる。動的スロットフォーマットの基準副搬送波間隔は上位階層シグナリング手続き（例えば、ＲＲＣシグナリング手続き）または物理階層シグナリング手続き（例えば、ＤＣＩシグナリング手続き）を通じて設定され得る。物理階層シグナリング手続きが使われる場合、ＳＦＩは基準副搬送波間隔を含むことができる。
【０１１６】
この場合、基準副搬送波間隔以上の副搬送波間隔に設定される帯域幅部分のみがＳＦＩが適用される有効帯域幅部分に設定されるように制限され得る。すなわち、帯域幅部分の副搬送波間隔が基準副搬送波間隔より小さい場合、該当帯域幅部分でスロットフォーマットの解釈が曖昧となり得るためである。このような問題点は、下記の「半固定的スロットフォーマットの設定」関連の実施例で詳細に説明される。帯域幅部分の副搬送波間隔が基準副搬送波間隔より小さい場合、帯域幅部分のスロットフォーマットは下記で説明される「方法４００」、「方法４１０」、および「方法４２０」のそれぞれと同一または類似するように設定され得る。
【０１１７】
この場合、有効帯域幅部分と非有効帯域幅部分は特定資源領域で重なり得、重なった特定資源領域でＳＦＩによってアンノウンシンボルとして設定された資源領域が存在し得る。この場合にも「方法３００」が同様に適用され得る。すなわち、端末はアンノウン領域で有効帯域幅部分を通じての物理階層信号／チャネルが送受信されないものと仮定することができ、アンノウン領域で非有効帯域幅部分を通じての物理階層信号／チャネルが送受信されるものと期待することができる。
【０１１８】
＜半固定的スロットフォーマットの設定＞
下記の実施例で半固定的スロットフォーマットの設定方法が説明される。半固定的スロットフォーマットの反復周期は０．５ｍｓ、０．６２５ｍｓ、１ｍｓ、１．２５ｍｓ、２ｍｓ、２．５ｍｓ、５ｍｓ、１０ｍｓなどを含むことができ、半固定的スロットフォーマットの一部の反復周期は特定副搬送波間隔にのみ適用され得る。また、半固定的スロットフォーマットはＴ１ｍｓの反復周期を有するスロットフォーマットとＴ２ｍｓの反復周期を有するスロットフォーマットが連続的に配置された形態で構成され得る。この場合、半固定的スロットフォーマットの反復周期は（Ｔ１＋Ｔ２）ｍｓであり得、Ｔ１およびＴ２のそれぞれは前記の反復周期の中から設定され得る。
【０１１９】
セル特定的半固定的スロットフォーマットの伝送方向の順序は、一つの周期内で「ダウンリンク→アンノウン→アップリンク」に設定され得る。アンノウンシンボルは厳密に伝送方向が決定されていないシンボルと見なすことができるが、本発明の実施例で便宜上「アンノウン」も伝送方向の一種と見なされ得る。セル特定的半固定的スロットフォーマット情報はｘ１、ｘ２、ｙ１、およびｙ２を含むことができる。ｘ１は反復周期の開始領域に配置される完全な（ｆｕｌｌ）ダウンリンクスロットの個数であり得、ｘ２はｘ１個のダウンリンクスロットの後に配置されるダウンリンクシンボルの個数であり得る。ｙ１は反復周期の終了領域に配置される完全な（ｆｕｌｌ）アップリンクスロットの個数であり得、ｙ２はｙ１個のアップリンクスロットの前に配置されるアップリンクシンボルの個数であり得る。ｘ１、ｘ２、ｙ１、およびｙ２によって表現されない区間はアンノウン区間と見なされ得る。
【０１２０】
半固定的スロットフォーマットを構成するために使われる基準副搬送波間隔は端末に設定され得る。例えば、基準副搬送波間隔はシステム情報であり得、基準副搬送波間隔はセル特定的半固定的スロットフォーマットの設定情報とともに放送され得る。基準副搬送波間隔はデータ伝送のために使用可能な副搬送波間隔（例えば、１５ｋＨｚ、３０ｋＨｚ、６０ｋＨｚ、および１２０ｋＨｚ）の一つで設定され得る。
【０１２１】
図４は通信システムで半固定的スロットフォーマットの第１実施例を図示した概念図であり、図５は通信システムで半固定的スロットフォーマットの第２実施例を図示した概念図である。
【０１２２】
図４を参照すると、基準副搬送波間隔は１５ｋＨｚであり得、半固定的スロットフォーマットの反復周期は５ｍｓであり得、「（ｘ１、ｘ２、ｙ１、ｙ２）＝（２、５、１、３）」に設定され得る。この場合、一つの反復周期は５個のスロットで構成され得る。図５を参照すると、基準副搬送波間隔は３０ｋＨｚであり得、半固定的スロットフォーマットの反復周期は５ｍｓであり得、「（ｘ１、ｘ２、ｙ１、ｙ２）＝（２、５、１、３）」で設定され得る。この場合、一つの反復周期は１０個のスロットで構成され得る。このように、反復周期と「ｘ１、ｘ２、ｙ１、ｙ２」が同じ場合にも基準副搬送波間隔によりスロットの構造が変わり得る。例えば、反復周期と「ｘ１、ｘ２、ｙ１、ｙ２」が同じ場合にアンノウン区間の比率は基準副搬送波間隔が大きいほど増加し得る。
【０１２３】
一方、帯域幅部分の設定情報は副搬送波間隔を含むことができる。基地局はダウンリンク帯域幅部分またはアップリンク帯域幅部分を端末に設定する場合に、該当帯域幅部分で使われる副搬送波間隔を端末に知らせることができる。したがって、端末に設定される帯域幅部分の副搬送波間隔は半固定的スロットフォーマットの基準副搬送波間隔と異なり得る。帯域幅部分の副搬送波間隔が半固定的スロットフォーマットの基準副搬送波間隔と異なる場合、帯域幅部分で半固定的スロットフォーマットを解釈／適用するための方法が定義され得る。
【０１２４】
図６は、通信システムで半固定的スロットフォーマットおよび帯域幅部分の設定に対する第１実施例を図示した概念図である。
【０１２５】
図６を参照すると、半固定的スロットフォーマットの反復周期は０．５ｍｓであり得、基準副搬送波間隔は６０ｋＨｚであり得る。一つの反復周期内に２個のスロット（例えば、スロット＃ｎおよび＃（ｎ＋１））が存在することができ、２個のスロットでシンボルの配置順序は「ダウンリンクシンボル→アンノウンシンボル→アップリンクシンボル」であり得る。ここで、「Ｄ」はダウンリンクシンボルを指示することができ、「Ｘ」はアンノウンシンボルを指示することができ、「Ｕ」はアップリンクシンボルを指示することができ、「Ｃ」は伝送方向の衝突などによって伝送方向の解釈方法が定義されなければならないシンボルを指示することができる。
【０１２６】
この場合、端末に設定される帯域幅部分の副搬送波間隔は多様であり得る。帯域幅部分の副搬送波間隔が６０ｋＨｚである場合、帯域幅部分の副搬送波間隔は基準副搬送波間隔と一致するため、端末がスロットフォーマットを解釈するのに問題がない。反面、帯域幅部分の副搬送波間隔が６０ｋＨｚより小さい場合、伝送方向が決定されないシンボルＣが存在し得る。例えば、ダウンリンク帯域幅部分およびアップリンク帯域幅部分の副搬送波間隔が３０ｋＨｚである場合、帯域幅部分の一つのシンボルは半固定的スロットフォーマットによる２個のシンボルに対応するので、帯域幅部分の一つのシンボルは半固定的スロットフォーマットによる「ダウンリンクシンボルおよびアンノウンシンボル」、「アップリンクシンボルおよびアンノウンシンボル」等に対応することができる。この場合、半固定的スロットフォーマットの設定情報でのみ帯域幅部分のシンボルの伝送方向を決定することは困難であり得る。
【０１２７】
またはダウンリンク帯域幅部分およびアップリンク帯域幅部分の副搬送波間隔が１５ｋＨｚである場合、帯域幅部分の一つのシンボルは半固定的スロットフォーマットによる４個のシンボルに対応するので、帯域幅部分の一つのシンボルは半固定的スロットフォーマットによる「ダウンリンクシンボルおよびアンノウンシンボル」、「アップリンクシンボルおよびアンノウンシンボル」、「ダウンリンクシンボルおよびアップリンクシンボル」等に対応することができる。この場合、半固定的スロットフォーマットの設定情報でのみ帯域幅部分のシンボルの伝送方向を決定することは困難であり得る。
【０１２８】
反面、帯域幅部分の副搬送波間隔が半固定的スロットフォーマットの基準副搬送波間隔より大きい場合には、前述した問題が発生しない。
【０１２９】
図７は、通信システムで半固定的スロットフォーマットおよび帯域幅部分の設定に対する第２実施例を図示した概念図である。
【０１３０】
図７を参照すると、半固定的スロットフォーマットの反復周期が１ｍｓであり得、基準副搬送波間隔は１５ｋＨｚであり得る。一つの反復周期内に１個のスロット（例えば、スロット＃ｎ）が存在することができ、１個のスロットでシンボルの配置順序は「ダウンリンクシンボル→アンノウンシンボル→アップリンクシンボル」であり得る。この場合、端末に設定される帯域幅部分の副搬送波間隔は１５ｋＨｚ（すなわち、半固定的スロットフォーマットの基準副搬送波間隔）より大きくてもよい。例えば、帯域幅部分の副搬送波間隔が３０ｋＨｚまたは６０ｋＨｚである場合、帯域幅部分の一つのシンボルは常に半固定的スロットフォーマットによる一つのシンボルに対応するので、反復周期内で帯域幅部分を構成するすべてのシンボルの伝送方向は半固定的スロットフォーマットの設定情報だけで明確に決定され得る。
【０１３１】
下記の実施例で、図６を参照して説明された問題点（すなわち、帯域幅部分の副搬送波間隔が半固定的スロットフォーマットの基準副搬送波間隔より小さく設定される場合の問題点）を解決するための方法が説明される。
【０１３２】
第１の方法として、帯域幅部分の副搬送波間隔は半固定的スロットフォーマットの基準副搬送波間隔以上に設定され得る。この場合、端末は帯域幅部分の副搬送波間隔が半固定的スロットフォーマットの基準副搬送波間隔より小さく設定されることを期待しないことができる。この方法は「方法４００」と呼ばれ得る。「方法４００」が使われ、帯域幅部分の副搬送波間隔が半固定的スロットフォーマットの基準副搬送波間隔より大きい場合、端末は図７を参照して説明された方法に基づいて帯域幅部分のスロットフォーマットを確認することができる。
【０１３３】
帯域幅部分の副搬送波間隔として設定され得る副搬送波間隔候補が周波数帯域別にあらかじめ定義されている場合、副搬送波間隔候補の中で最も小さい副搬送波間隔は半固定的スロットフォーマットの基準副搬送波間隔と定義され得る。この方法は「方法４０１」と呼ばれ得る。例えば、特定周波数帯域で帯域幅部分の副搬送波間隔が１５ｋＨｚ、３０ｋＨｚ、または６０ｋＨｚに設定される場合、半固定的スロットフォーマットの基準副搬送波間隔は１５ｋＨｚと定義され得る。ただし、特定周波数帯域で１５ｋＨｚの副搬送波間隔を有する帯域幅部分が使われない場合、「方法４０１」による半固定的スロットフォーマットの設定は非効率的であり得る。例えば、特定周波数帯域でデータの伝送のために３０ｋＨｚの副搬送波間隔だけが使われる場合、半固定的スロットフォーマットの基準副搬送波間隔は３０ｋＨｚに設定されることが好ましい。
【０１３４】
「方法４０１」の短所を解決するために、「方法４０２」が使われ得る。「方法４０２」で、周波数帯域別に複数の基準副搬送波間隔が許容され得、半固定的スロットフォーマットの基準副搬送波間隔は帯域幅部分の副搬送波間隔以下であるように設定され得る。「方法４０２」によると、基地局はセルまたはキャリア内でデータ伝送のために実際に使われる副搬送波間隔のうちで最も小さい副搬送波間隔を半固定的スロットフォーマットの基準副搬送波間隔として使うことができる。したがって、「方法４０２」が使われる場合、「方法４０１」による非効率性が発生しなくなり得る。
【０１３５】
「方法４０２」が使われる場合にも、セル内のすべての端末は同一の基準副搬送波間隔に従わなければならないので、基準副搬送波間隔より高い副搬送波間隔を使う端末に対する半固定的スロットフォーマットの設定単位（ｇｒａｎｕｌａｒｉｔｙ）は細密（ｆｉｎｅ）でないこともある。例えば、一つの端末が１５ｋＨｚの副搬送波間隔を有する帯域幅部分で動作し、他の端末が６０ｋＨｚの副搬送波間隔を有する帯域幅部分で動作する場合、半固定的スロットフォーマットの基準副搬送波間隔は１５ｋＨｚに設定され得る。この場合、６０ｋＨｚの副搬送波間隔を有する帯域幅部分で動作する端末のための半固定的スロットフォーマットは、４個のシンボル単位で設定され得る。これはＵＲＬＬＣ伝送に不適合であり得る。したがって、「方法４００」、「方法４０１」または「方法４０２」によると、同一セル内でｅＭＢＢデータおよびＵＲＬＬＣデータを同時に伝送することは困難であり得る。
【０１３６】
図６を参照して説明された問題点を解決するための第２の方法として、帯域幅部分の副搬送波間隔が半固定的スロットフォーマットの基準副搬送波間隔より小さく設定されることが許容され得、帯域幅部分の特定シンボルで伝送方向の衝突が発生する場合（例えば、帯域幅部分の特定シンボルが半固定的スロットフォーマットにより互いに異なる伝送方向を有する複数のシンボルに対応する場合）に、特定シンボルの伝送方向はあらかじめ定義された規則によって決定され得る。この方法は「方法４１０」と呼ばれ得る。また、「方法４１０」の細部方法である「方法４１１」〜「方法４１６」が定義され得る。
【０１３７】
「方法４１１」で、帯域幅部分の特定シンボルが半固定的スロットフォーマットによる「ダウンリンクシンボルおよびアンノウンシンボル」、「アンノウンシンボルおよびアップリンクシンボル」、または「ダウンリンクシンボル、アンノウンシンボルおよびアップリンクシンボル」に対応する場合、帯域幅部分で特定シンボルの伝送方向はアンノウンと見なされ得る。すなわち、帯域幅部分の一つのシンボル内で半固定的スロットフォーマットによる伝送方向が衝突する場合、アンノウンがダウンリンクおよびアップリンクに優先する規則が使われ得る。
【０１３８】
その反対に、帯域幅部分の一つのシンボル内で半固定的スロットフォーマットによる伝送方向が衝突する場合、ダウンリンクおよびアップリンクがアンノウンに優先する規則が使われ得る。この方法は「方法４１２」と呼ばれ得る。「方法４１２」によると、半固定的スロットフォーマットによるアンノウン区間は帯域幅部分でダウンリンク区間またはアップリンク区間でオーバーライドされ得る。ただし、アンノウン区間が伝送方向の柔軟性（ｆｌｅｘｉｂｉｌｉｔｙ）の保証または特定信号を保護するための用途で使われる場合、アンノウン区間が異なる伝送方向（例えば、ダウンリンクまたはアップリンク）でオーバーライドされることは好ましくない。また、オーバーライドの結果によると、ダウンリンク区間とアップリンク区間の間にアンノウン区間が存在しない形態のスロットの構造が発生する可能性がある。このような場合を回避するために、「方法４１２」よりは「方法４１１」が使われることが好ましい。
【０１３９】
また、帯域幅部分の特定シンボルが半固定的スロットフォーマットによる「ダウンリンクシンボルおよびアップリンクシンボル」に対応する場合、帯域幅部分で特定シンボルの伝送方向はダウンリンクおよびアップリンクの中であらかじめ定義された伝送方向に設定され得る。この方法は「方法４１３」と呼ばれ得る。または帯域幅部分で特定シンボルの伝送方向はアンノウンに設定され得る。この方法は「方法４１４」と呼ばれ得る。「方法４１３」によると、クロス−リンク干渉（ｃｒｏｓｓ−ｌｉｎｋ  ｉｎｔｅｒｆｅｒｅｎｃｅ）が発生し得る。したがって、帯域幅部分で伝送方向の衝突が発生する特定シンボルの伝送方向はアンノウンと見なされることが好ましい。「方法４１４」により帯域幅部分で伝送方向の衝突が発生する特定シンボルの伝送方向がアンノウンと見なされる場合にも、アンノウンと見なされた特定シンボルは後程基地局のスケジューリングによってダウンリンク伝送またはアップリンク伝送のために使われ得る。
【０１４０】
または帯域幅部分の特定シンボルで半固定的スロットフォーマットによる伝送方向の衝突が発生する場合、帯域幅部分で特定シンボルの伝送方向は特定シンボル内で相対的に多くの区間を占有する伝送方向に設定され得る。この方法は「方法４１５」と呼ばれ得る。「方法４１５」で特定シンボル内で区間（例えば、ダウンリンク区間、アンノウン区間、アップリンク区間）の長さが同じである場合、「方法４１１」〜「方法４１４」中で一つの方法が使われ得る。
【０１４１】
図８は、通信システムで「方法４１１」による帯域幅部分のスロットフォーマットの第１実施例を図示した概念図である。
【０１４２】
図８を参照すると、半固定的スロットフォーマットの反復周期は０．５ｍｓであり得、基準副搬送波間隔は６０ｋＨｚであり得る。ダウンリンク帯域幅部分およびアップリンク帯域幅部分の副搬送波間隔が３０ｋＨｚである場合、半固定的スロットフォーマットの一つの反復周期内でダウンリンク帯域幅部分内の４番目および９番目のシンボルでダウンリンクとアンノウン間の衝突が発生し得、半固定的スロットフォーマットの一つの反復周期内でアップリンク帯域幅部分内の５番目および１２番目のシンボルでアンノウンとアップリンク間の衝突が発生し得る。「方法４１４」によると、ダウンリンク帯域幅部分内の４番目および９番目のシンボルはアンノウンシンボルと見なされ得、アップリンク帯域幅部分内の５番目および１２番目のシンボルはアンノウンシンボルと見なされ得る。
【０１４３】
ここで、ダウンリンク帯域幅部分内の４番目および９番目のシンボルでダウンリンクとアンノウン間の衝突が発生するので、ダウンリンク帯域幅部分でアンノウンシンボルと見なされた４番目および９番目のシンボルはダウンリンクシンボルでのみオーバーライドされ得る。アップリンク帯域幅部分内の５番目および１２番目のシンボルでアンノウンとアップリンク間の衝突が発生するので、アップリンク帯域幅部分でアンノウンシンボルと見なされた５番目および１２番目のシンボルはアップリンクシンボルでのみオーバーライドされ得る。すなわち、ダウンリンク帯域幅部分で４番目および９番目のシンボルのアンノウンタイプはアップリンク帯域幅部分で５番目および１２番目のシンボルのアンノウンタイプと異なり得る。
【０１４４】
ダウンリンク帯域幅部分およびアップリンク帯域幅部分の副搬送波間隔が１５ｋＨｚである場合、半固定的スロットフォーマットの一つの反復周期内でダウンリンク帯域幅部分内の２番目および５番目のシンボルでダウンリンクとアンノウン間の衝突が発生し得、半固定的スロットフォーマットの一つの反復周期内でアップリンク帯域幅部分内の３番目および６番目のシンボルでアンノウンとアップリンク間の衝突が発生し得る。「方法４１４」によると、ダウンリンク帯域幅部分内の２番目および５番目のシンボルはアンノウンシンボルと見なされ得、アップリンク帯域幅部分内の３番目および６番目のシンボルはアンノウンシンボルと見なされ得る。
【０１４５】
ここで、ダウンリンク帯域幅部分内の２番目および５番目のシンボルでダウンリンクとアンノウン間の衝突が発生するので、ダウンリンク帯域幅部分でアンノウンシンボルと見なされた２番目および５番目のシンボルはダウンリンクシンボルでのみオーバーライドされ得る。アップリンク帯域幅部分内の３番目および６番目のシンボルでアンノウンとアップリンク間の衝突が発生するので、アップリンク帯域幅部分でアンノウンシンボルと見なされた３番目および６番目のシンボルはアップリンクシンボルでのみオーバーライドされ得る。
【０１４６】
一方、ダウンリンク帯域幅部分およびアップリンク帯域幅部分の副搬送波間隔が１５ｋＨｚである場合、半固定的スロットフォーマットの一つの反復周期内で帯域幅部分のスロットは７個のシンボルを含むハーフ（ｈａｌｆ）スロットで構成され得る。したがって、帯域幅部分のスロットフォーマットは７個のシンボル単位で繰り返され得る。この場合、一つのスロット内で意図されていない複数のアンノウン区間が存在することができる。したがって、半固定的スロットフォーマットの一つの反復周期は帯域幅部分のｎ個のスロットを含むように設定され得、ｎは１以上の整数であり得る。この方法は「方法４１６」と呼ばれ得る。「方法４１６」の条件は基地局が半固定的スロットフォーマットの設定パラメーター（例えば、反復周期、基準副搬送波間隔）および帯域幅部分の設定パラメーター（例えば、副搬送波間隔）を適切に決定することによって保障され得る。
【０１４７】
または「方法４１６」が使われない場合、帯域幅部分でスロットフォーマットの一つの反復周期が一つのスロットの一部分（例えば、ハーフスロット）を含むことが許容され得る。この場合、帯域幅部分でスロットフォーマットの一つの反復周期はｍ個の完全なシンボルを含むことが好ましい。ｍは１以上の整数であり得る。
【０１４８】
図６を参照して説明された問題点を解決するための第３の方法として、互いに異なる基準副搬送波間隔に対する半固定的スロットフォーマットが設定され得る。すなわち、複数の半固定的スロットフォーマットは端末に設定され得る。この方法は「方法４２０」と呼ばれ得る。例えば、半固定的スロットフォーマットの基準副搬送波間隔が１５ｋＨｚ、３０ｋＨｚ、または６０ｋＨｚに設定される場合、基地局は１５ｋＨｚの基準副搬送波間隔を有する半固定的スロットフォーマット（以下、「第１スロットフォーマット」という）と３０ｋＨｚの基準副搬送波間隔を有する半固定的スロットフォーマット（以下、「第２スロットフォーマット」という）を端末に設定することができる。
【０１４９】
ダウンリンク帯域幅部分およびアップリンク帯域幅部分が端末に設定される場合、帯域幅部分の副搬送波間隔と同一の基準副搬送波間隔を有する半固定的スロットフォーマットが該当帯域幅部分に適用され得る。この方法は「方法４２６」と呼ばれ得る。３０ｋＨｚの副搬送波間隔を有するダウンリンク帯域幅部分およびアップリンク帯域幅部分が端末に設定される場合、該当帯域幅部分に第２スロットフォーマットが適用され得る。
【０１５０】
「方法４２０」および「方法４２６」が使われる場合、端末は帯域幅部分の副搬送波間隔が半固定的スロットフォーマットの設定による基準副搬送波間隔の一つで設定されるものと期待することができる。帯域幅部分の副搬送波間隔が基準副搬送波間隔と一致しない場合、端末は帯域幅部分の設定が誤っているものと見なすことができ、該当帯域幅部分に関連した動作を遂行しないことができる。例えば、端末が１５ｋＨｚまたは３０ｋＨｚ副搬送波間隔を有する帯域幅部分が設定されるものと期待する状況で、基地局によって６０ｋＨｚ副搬送波間隔を有する帯域幅部分が端末に設定される場合、端末は６０ｋＨｚ副搬送波間隔を有する帯域幅部分の設定を無視することができる。
【０１５１】
「方法４２０」および「方法４２６」は帯域幅部分別に適用され得る。すなわち、複数のダウンリンク帯域幅部分または複数のアップリンク帯域幅部分が端末に設定される場合、帯域幅部分のそれぞれに設定された副搬送波間隔と同一の基準副搬送波間隔を有する半固定的スロットフォーマットが該当帯域幅部分に適用され得る。例えば、１５ｋＨｚおよび３０ｋＨｚの基準副搬送波間隔を有する半固定的スロットフォーマット、１５ｋＨｚの副搬送波間隔を有するダウンリンク帯域幅部分、および３０ｋＨｚの副搬送波間隔を有するダウンリンク帯域幅部分が端末に設定される場合、端末は１５ｋＨｚの副搬送波間隔を有するダウンリンク帯域幅部分に１５ｋＨｚの基準副搬送波間隔を有する半固定的スロットフォーマットを適用することができ、３０ｋＨｚの副搬送波間隔を有するダウンリンク帯域幅部分に３０ｋＨｚの基準副搬送波間隔を有する半固定的スロットフォーマットを適用することができる。
【０１５２】
一方、複数のダウンリンク帯域幅部分または複数のアップリンク帯域幅部分が端末に設定される場合、特定基準副搬送波間隔を有する一つの半固定的スロットフォーマットが複数の帯域幅部分に適用され得る。この方法は「方法４２７」と呼ばれ得る。例えば、１５ｋＨｚおよび３０ｋＨｚの基準副搬送波間隔を有する半固定的スロットフォーマット、１５ｋＨｚの副搬送波間隔を有するダウンリンク帯域幅部分、および３０ｋＨｚの副搬送波間隔を有するダウンリンク帯域幅部分が端末に設定される場合、端末は１５ｋＨｚおよび３０ｋＨｚの副搬送波間隔を有するダウンリンク帯域幅部分のすべてに１５ｋＨｚの基準副搬送波間隔を有する半固定的スロットフォーマットを適用することができる。
【０１５３】
「方法４２７」で端末が一つ以上の帯域幅部分に共通に適用される一つの基準副搬送波間隔を決定する基準は規格にあらかじめ定義され得る。例えば、端末は基地局によって設定された帯域幅部分の副搬送波間隔の中で最も小さい副搬送波間隔（以下、「Δｆｍｉｎ」という）を基準副搬送波間隔で決定することができる。Δｆｍｉｎと同一の基準副搬送波間隔を有する半固定的スロットフォーマットが端末に設定されていない場合、端末はΔｆｍｉｎより小さい基準副搬送波間隔の中で最も大きい基準副搬送波間隔を有する半固定的スロットフォーマットを帯域幅部分に適用することができる。前述した規則が使われ、帯域幅部分の副搬送波間隔が基準副搬送波間隔より大きい場合、端末は図６を参照して説明された方法を使って帯域幅部分のスロットフォーマットを取得することができる。
【０１５４】
または端末は帯域幅部分の副搬送波間隔より大きくない基準副搬送波間隔のうちで最も大きい基準副搬送波間隔を有する半固定的スロットフォーマットを該当帯域幅部分に適用することができる。この方法は「方法４２８」と呼ばれ得る。例えば、１５ｋＨｚおよび３０ｋＨｚの基準副搬送波間隔を有する半固定的スロットフォーマットおよび１５ｋＨｚ、３０ｋＨｚ、および６０ｋＨｚの副搬送波間隔を有するダウンリンク帯域幅部分が端末に設定された場合、「方法４２８」によると、端末は１５ｋＨｚの副搬送波間隔を有するダウンリンク帯域幅部分に１５ｋＨｚの基準副搬送波間隔を有する半固定的スロットフォーマットを適用することができ、３０ｋＨｚおよび６０ｋＨｚの副搬送波間隔を有するダウンリンク帯域幅部分に３０ｋＨｚの基準副搬送波間隔を有する半固定的スロットフォーマットを適用することができる。
【０１５５】
「方法４２０」により互いに異なる基準副搬送波間隔を有する複数の半固定的スロットフォーマットが端末に設定される場合、半固定的スロットフォーマットによるシンボルの伝送方向は基準副搬送波間隔の間に時間軸で整列（ａｌｉｇｎ）され得る。この方法は「方法４２１」と呼ばれ得る。これとは異なり、半固定的スロットフォーマットのそれぞれが互いに独立的に設定され得、半固定的スロットフォーマットによるシンボルの伝送方向が時間軸で整列しないことが許容され得る。この方法は「方法４２２」と呼ばれ得る。「方法４２２」によると、高い設定自由度が提供されるものの、同一セル内で互いに異なる副搬送波間隔を有する帯域幅部分の間にクロス−リンク干渉が引き起こされ得る。その反面、「方法４２１」によると、同一セル内のクロス−リンク干渉が抑制され得る。
【０１５６】
「方法４２２」が使われる場合、複数の半固定的スロットフォーマットの反復周期は同一であるか異なり得る。反面、「方法４２１」が使われる場合、複数の半固定的スロットフォーマットの反復周期は同一に設定されることが好ましい。
【０１５７】
図９ａは通信システムで「方法４２１」による半固定的スロットフォーマットの第１実施例を図示した概念図であり、図９ｂは通信システムで「方法４２１」による半固定的スロットフォーマットの第２実施例を図示した概念図であり、図９ｃは通信システムで「方法４２１」による半固定的スロットフォーマットの第３実施例を図示した概念図である。
【０１５８】
図９ａ〜図９ｃを参照すると、基地局は１５ｋＨｚの基準副搬送波間隔を有する半固定的スロットフォーマット（以下、「第１スロットフォーマット」という）および３０ｋＨｚの基準副搬送波間隔を有する半固定的スロットフォーマット（以下、「第２スロットフォーマット」という）を端末に設定することができる。第１スロットフォーマットおよび第２スロットフォーマットの反復周期は１ｍｓであり得る。
【０１５９】
図９ａの実施例で、時間軸で第１スロットフォーマットの伝送方向は第２スロットフォーマットの伝送方向と同じでもよい。すなわち、第１スロットフォーマットの一つのシンボルの伝送方向は第１スロットフォーマットの一つのシンボルに対応する第２スロットフォーマットの２個のシンボルの伝送方向と同じでもよい。この方法は「方法４２３」と呼ばれ得る。
【０１６０】
反面、図９ｂの実施例および図９ｃの実施例で、時間軸で第１スロットフォーマットの伝送方向が第２スロットフォーマットの伝送方向と一致しない区間が存在することができる。例えば、図９ｂの実施例で第１スロットフォーマットの８番目のシンボルは第２スロットフォーマットの「ダウンリンクシンボルおよびアンノウンシンボル」に対応することができ、第１スロットフォーマットの１１番目のシンボルは第２スロットフォーマットの「アンノウンシンボルおよびアップリンクシンボル」に対応することができる。
【０１６１】
すなわち、第１スロットフォーマットのアンノウンシンボルは第２スロットフォーマットの「ダウンリンクシンボルおよびアンノウンシンボル」または「アンノウンシンボルおよびアップリンクシンボル」と整列され得る。この方法は「方法４２４」と呼ばれ得、「方法４２４」は前述した「方法４１１」と類似し得る。「方法４２４」で第１スロットフォーマットの基準副搬送波間隔が第２スロットフォーマットの基準副搬送波間隔の４倍以上である場合、または第２スロットフォーマットの基準副搬送波間隔が第１スロットフォーマットの基準副搬送波間隔の４倍以上である場合、相対的に小さい基準副搬送波間隔を有するスロットフォーマットのアンノウンシンボルは相対的に大きい基準副搬送波間隔を有するスロットフォーマットの「ダウンリンクシンボル、アンノウンシンボル、およびアップリンクシンボル」のすべてに対応することができる。
【０１６２】
他の例として、図９ｃの実施例で第１スロットフォーマットの７番目のシンボルは第２スロットフォーマットの「ダウンリンクシンボルおよびアンノウンシンボル」に対応することができ、第１スロットフォーマットの１２番目のシンボルは第２スロットフォーマットの「アンノウンシンボルおよびアップリンクシンボル」に対応することができる。すなわち、第１スロットフォーマットのダウンリンクシンボルは第２スロットフォーマットの「ダウンリンクシンボルおよびアンノウンシンボル」と整列され得、第１スロットフォーマットのアップリンクシンボルは第２スロットフォーマットの「アンノウンシンボルおよびアップリンクシンボル」と整列され得る。この方法は「方法４２５」と呼ばれ得、「方法４２５」は前述した「方法４１２」と類似し得る。
【０１６３】
図９ａ〜図９ｃの実施例は多様な基準副搬送波間隔を有する第１スロットフォーマットおよび第２スロットフォーマットに適用され得る。また、「方法４２３」〜「方法４２５」は結合されて使われ得る。例えば、「方法４２４」が「方法４２５」と結合される場合、第１スロットフォーマットの特定ダウンリンクシンボルは第２スロットフォーマットの「ダウンリンクシンボルおよびアンノウンシンボル」に対応することができ、第１スロットフォーマットの特定アンノウンシンボルは第２スロットフォーマットの「アンノウンシンボルおよびアップリンクシンボル」に対応することができる。
【０１６４】
「方法４２０」および「方法４２０」の細部方法で複数の半固定的スロットフォーマットに共通の反復周期が適用される場合、特定反復周期の使用は制限され得る。例えば、特定基準副搬送波間隔にのみ適用される反復周期（例えば、０．６２５ｍｓ、１．２５ｍｓ、２．５ｍｓ）は複数の半固定的スロットフォーマットのための共通の反復周期として使われないことがある。
【０１６５】
図６を参照して説明された問題点を解決するための第４の方法として、帯域幅部分の副搬送波間隔が半固定的スロットフォーマットの基準副搬送波間隔より小さく設定されることは許容され得、端末は帯域幅部分のシンボルのそれぞれで半固定的スロットフォーマットによる伝送方向の衝突が発生しないことを期待することができる。この方法は「方法４３０」と呼ばれ得る。帯域幅部分の副搬送波間隔と基準副搬送波間隔間の関係にかかわらず、基地局は半固定的スロットフォーマットのパターンを適切に設定することによって伝送方向の衝突が発生しないようにすることができる。端末はいかなる帯域幅部分が活性化する場合にも伝送方向の衝突が発生しないことを期待することができる。
【０１６６】
前述した方法の効果は半固定的スロットフォーマットに適用されるＣＰタイプと帯域幅部分に設定されるＣＰタイプが同じ場合に発生し得る。ＣＰタイプは一般（ｎｏｒｍａｌ）ＣＰおよび拡張（ｅｘｔｅｎｄｅｄ）ＣＰに分類され得る。反面、半固定的スロットフォーマットに適用されるＣＰタイプが帯域幅部分に設定されるＣＰタイプと異なる場合、互いに異なる副搬送波間隔を有するシンボルは時間軸で互いに整列しないため、前述した効果が発生しないことができる。例えば、半固定的スロットフォーマットに一般ＣＰが適用され、帯域幅部分に拡張ＣＰが設定される場合、前述した方法は変形されて使われなければならず、前述した効果が発生しないことができる。
【０１６７】
したがって、帯域幅部分で一般ＣＰおよび拡張ＣＰモドを使おうとする場合、半固定的スロットフォーマットに一般ＣＰおよび拡張ＣＰがすべて適用可能なように設定されることが好ましい。このために、半固定的スロットフォーマットの設定情報はＣＰタイプを含むことができる。ＣＰタイプは帯域幅部分の設定のために使われる一般ＣＰまたは拡張ＣＰを指示することができる。例えば、ＣＰタイプはセル特定的半固定的スロットフォーマットの設定情報に含まれ得る。この場合、ＣＰタイプはシステム情報として端末に伝送され得る。半固定的スロットフォーマットの設定情報がＣＰタイプを含む場合、「方法４２０」および「方法４２０」の細部方法は同じＣＰタイプを有する複数の半固定的スロットフォーマットに適用され得る。
【０１６８】
前述した方法は、半固定的スロットフォーマットの基準副搬送波間隔が帯域幅部分の副搬送波間隔と異なる場合だけでなく、動的スロットフォーマットの基準副搬送波間隔が帯域幅部分の副搬送波間隔と異なる場合にも適用され得る。例えば、ＳＦＩによって指示されるスロットフォーマットが確認された場合、端末は前述した方法に基づいてＳＦＩによって指示されるスロットフォーマットをＳＦＩによって指示されるスロットフォーマットの基準副搬送波間隔と異なる副搬送波間隔を有する帯域幅部分に適用することができる。
【０１６９】
＜帯域幅部分の動的スイッチング＞
複数のダウンリンク帯域幅部分または複数のアップリンク帯域幅部分が端末に設定された場合、基地局は活性帯域幅部分のインデックスを指示するフィールド（例えば、帯域幅部分指示子フィールド）を含むＤＣＩを端末に伝送することができる。端末はＤＣＩの帯域幅部分指示子フィールドによって指示される帯域幅部分でＤＣＩによってスケジューリングされるデータチャネル（例えば、ＰＤＳＣＨまたはＰＵＳＣＨ）を送受信することができる。これによると、ＤＣＩが伝送される帯域幅部分はスイッチング前の活性帯域幅部分であり得、ＤＣＩによって指示される帯域幅部分はスイッチング後の活性帯域幅部分であり得る。下記の実施例で帯域幅部分がスイッチングされる場合、スイッチング前の活性帯域幅部分は「第１帯域幅部分」と呼ばれ得、スイッチング後の活性帯域幅部分は「第２帯域幅部分」と呼ばれ得る。端末は第１帯域幅部分でＤＣＩの受信終了時点と第２帯域幅部分でデータチャネルの送受信開始時点（例えば、ＰＤＳＣＨの受信開始時点またはＰＵＳＣＨの送信開始時点）の間で帯域幅部分のスイッチングを遂行することができる。
【０１７０】
図１０は、通信システムで帯域幅部分の動的スイッチング方法の第１実施例を図示した概念図である。
【０１７１】
図１０を参照すると、基地局は第１帯域幅部分でＰＤＣＣＨを通じてＤＣＩを端末に伝送することができる。ＤＣＩはデータチャネル（例えば、ＰＤＳＣＨまたはＰＵＳＣＨ）のスケジューリング情報、帯域幅部分指示子フィールドなどを含むことができる。帯域幅部分指示子フィールドは第２帯域幅部分のインデックスを含むことができる。端末は第１帯域幅部分でＤＣＩを受信することができ、ＤＣＩの帯域幅部分指示子フィールドによって指示される第２帯域幅部分でＤＣＩによってスケジューリングされるデータチャネル（例えば、ＰＤＳＣＨまたはＰＵＳＣＨ）を送受信することができる。端末は第２帯域幅部分の設定情報（例えば、副搬送波間隔、ＣＰ長、ビーム情報など）に基づいてＤＣＩのスケジューリング情報（例えば、周波数軸資源割当情報、時間軸資源割当情報、ＴＣＩ（ｔｒａｎｓｍｉｓｓｉｏｎ  ｃｏｎｆｉｇｕｒａｔｉｏｎ  ｉｎｆｏｒｍａｔｉｏｎ）状態など）を解釈することができる。
【０１７２】
第１帯域幅部分から第２帯域幅部分にスイッチングするために、端末で一定時間が所要され得る。まず、端末は帯域幅部分のスイッチングを指示するＤＣＩ（例えば、帯域幅部分指示子フィールドを含むＤＣＩ）を取得するためにＰＤＣＣＨを処理しなければならないので、帯域幅部分のスイッチング時間にＰＤＣＣＨ処理遅延時間Ｔ１が考慮され得る。ＰＤＣＣＨ処理遅延時間Ｔ１はＰＤＣＣＨの受信終了時点からＰＤＣＣＨの処理完了時点までの時間間隔であり得る。また、Ｔ１はＰＤＣＣＨ処理遅延時間だけでなく他のベースバンド装置の駆動時間を含むことができる。ＤＣＩが獲得された場合、端末でＤＣＩの帯域幅部分指示子フィールドによって指示される帯域幅部分でＲＦ（ｒａｄｉｏ  ｆｒｅｑｕｅｎｃｙ）帯域幅を調整（ｒｅｔｕｎｉｎｇ）するための時間が必要となり得る。ＲＦ調整時間Ｔ２はＲＦ帯域幅の変更比率と中心移動の有無などにより数ｕｓ（ｍｉｃｒｏ  ｓｅｃｏｎｄｓ）で数百ｕｓであり得る。また、Ｔ２はＲＦ調整時間だけでなく他のＲＦ装置（例えば、ＡＧＣ（ａｕｔｏｍａｔｉｃ  ｇａｉｎ  ｃｏｎｔｒｏｌ））の駆動時間を含むことができる。
【０１７３】
帯域幅部分のスイッチングを指示する場合、基地局は端末がＴ１およびＴ２を確保できるようにデータチャネルをスケジューリングすることができる。ＤＣＩを含むＰＤＣＣＨの受信終了時点からＤＣＩによってスケジューリングされるデータチャネルの送受信開始時点（例えば、ＰＤＳＣＨの受信開始時点またはＰＵＳＣＨの送信開始時点）までの時間間隔がＴ３である場合、基地局はＴ３が「Ｔ１＋Ｔ２」以上となるようにデータチャネルをスケジューリングすることができる。このために、基地局はＴ１およびＴ２をあらかじめ知っていてもよい。またはＴ１およびＴ２のうち、少なくとも一つは端末のケイパビリティ（例えば、端末の要求事項）として規格に定義され得る。例えば、「方法５００」で、「Ｔ１＋Ｔ２」は端末のケイパビリティとして規格にあらかじめ定義され得、端末は「Ｔ１＋Ｔ２」を基地局に報告することができる。「方法５０１」で、Ｔ１およびＴ２のそれぞれは端末のケイパビリティとして規格に定義され得、端末はＴ１およびＴ２のそれぞれを基地局に報告することができる。「方法５０２」で、Ｔ２は端末のケイパビリティとして規格に定義され得、端末はＴ２を基地局に報告することができる。
【０１７４】
端末は「Ｔ３−Ｔ１」内の任意の時間区間でＲＦ帯域幅を調整することができる。すなわち、端末はＤＣＩの獲得時点とＤＣＩによってスケジューリングされるデータチャネルの送受信開始時点の間の任意の時間区間でＲＦ帯域幅を調整することができる。この場合、基地局は端末がＲＦ帯域幅を調整する区間が分かり難く、Ｔ３または「Ｔ３−Ｔ１」で端末の動作が不明確なので、該当区間（例えば、Ｔ３または「Ｔ３−Ｔ１」）の使用が制限的であり得る。特に、Ｔ３が「Ｔ１＋Ｔ２」より大きい場合（例えば、クロス−スロットスケジューリングが遂行される場合）、前述した問題が発生し得る。
【０１７５】
前述した問題点を解決するために、端末のＲＦ遷移（ｔｒａｎｓｉｔｉｏｎ）区間は規格にあらかじめ定義され得る。または基地局はＲＦ遷移区間を端末に設定することができ、この方法は「方法５１０」と呼ばれ得る。ＲＦ遷移区間はＴ２以上に設定され得、端末はＲＦ遷移区間内でＲＦ帯域幅を調整することができる。また、端末はＲＦ遷移区間内でＲＦ帯域幅の調整動作以外に他の動作を遂行しないことができる。例えば、端末はＲＦ遷移区間内でいかなる信号も送受信しないことができる。端末はＲＦ遷移区間以外の時間区間で一般的な送受信動作を遂行することができる。「方法５１０」でＲＦ遷移区間がＴ２以上に設定されることを保障するために、「方法５０１」または「方法５０２」が使われ得る。例えば、基地局は「方法５０１」または「方法５０２」に基づいて端末のＴ２を確認することができ、確認されたＴ２以上となるようにＲＦ遷移区間を設定することができる。
【０１７６】
帯域幅部分のスイッチングのためのＲＦ遷移区間は連続したＮ１個のシンボルで構成され得る。Ｎ１は自然数であり得る。ＲＦ遷移区間の長さはＮ１で表現され得る。ＲＦ遷移区間を構成するシンボルは特定のヌメロロジー（例えば、副搬送波間隔、ＣＰ長）に従い得る。一方、前述した帯域幅部分のスイッチング方法でＲＦ遷移区間はＴ３内に存在するので、ＲＦ遷移区間の位置は第１帯域幅部分で伝送されるＤＣＩ（例えば、ＤＣＩを含むＰＤＣＣＨ）の時間軸位置または第２帯域幅部分で伝送されるデータチャネル（例えば、ＰＤＳＣＨまたはＰＵＳＣＨ）の時間軸位置を基準として設定され得る。ＲＦ遷移区間は次のように設定され得る。
【０１７７】
図１１ａは通信システムでＲＦ遷移区間の第１実施例を図示した概念図であり、図１１ｂは通信システムでＲＦ遷移区間の第２実施例を図示した概念図であり、図１１ｃは通信システムでＲＦ遷移区間の第３実施例を図示した概念図である。
【０１７８】
図１１ａを参照すると、ＲＦ遷移区間の開始時点と第１帯域幅部分でＰＤＣＣＨの終了時点間のオフセットＯ１が定義され得る。基地局はオフセットＯ１を端末に知らせることができる。ＲＦ遷移区間は連続したＮ１個のシンボルで構成され得、オフセットＯ１は連続したＮ２個のシンボルで構成され得る。Ｎ１およびＮ２のそれぞれは自然数であり得る。
【０１７９】
図１１ｂを参照すると、ＲＦ遷移区間の終了時点と第２帯域幅部分でデータチャネルの開始時点間のオフセットＯ２が定義され得る。基地局はオフセットＯ２を端末に知らせることができる。ＲＦ遷移区間は連続したＮ１個のシンボルで構成され得、オフセットＯ２は連続したＮ３個のシンボルで構成され得る。Ｎ１およびＮ３のそれぞれは自然数であり得る。
【０１８０】
図１１ｃを参照すると、ＰＤＣＣＨ処理遅延時間Ｔ１が定義された場合、ＲＦ遷移区間の開始時点とＰＤＣＣＨ処理遅延時間Ｔ１の終了時点間にオフセットＯ３が定義され得る。基地局はオフセットＯ３を端末に知らせることができる。ＲＦ遷移区間は連続したＮ１個のシンボルで構成され得、オフセットＯ３は連続したＮ４個のシンボルで構成され得る。Ｎ１およびＮ４のそれぞれは自然数であり得る。
【０１８１】
基地局は帯域幅部分のスイッチングのためのＲＦ遷移区間の設定情報を、シグナリングを通じて端末に伝送することができる。例えば、ＲＦ遷移区間の設定情報の伝送のために、上位階層シグナリング（例えば、ＲＲＣシグナリング、ＭＡＣシグナリング）または物理階層シグナリング（例えば、帯域幅部分のスイッチングを指示するＤＣＩ）が使われ得る。ＲＦ遷移区間の長さ（例えば、Ｎ１）はＴ２（すなわち、ＲＦ調整時間）により決定され得る。ＲＦ遷移区間の長さは上位階層シグナリングによって半固定的に設定されることが好ましい。
【０１８２】
反面、ＲＦ遷移区間の位置を指示するためのオフセット（例えば、Ｏ１、Ｏ２、Ｏ３）は上位階層シグナリングまたは物理階層シグナリングを通じて端末に伝送され得る。オフセット（例えば、Ｏ１、Ｏ２、Ｏ３）が物理階層シグナリングによって動的に指示される場合、時間資源の使用効率が高くなり得るが、シグナリングオーバーヘッドが増加し得る。またはＲＦ遷移区間は上位階層シグナリングと物理階層シグナリングの結合によって設定され得る。例えば、ＲＦ遷移区間の設定情報（例えば、長さ、オフセット、ヌメロロジーなど）の候補値は上位階層シグナリングによって端末にあらかじめ設定され得、設定情報の候補値のうち一つが物理階層シグナリングによって動的に指示され得る。
【０１８３】
一方、帯域幅部分のスイッチング方法は帯域幅部分の設定により多様であり得るため、複数のＴ２が使われ得る。例えば、第１帯域幅部分で第２帯域幅部分へのスイッチングのためにＲＦフィルタ中心の変更が要求される場合、相対的に大きいＴ２が使われ得る。反面、ＲＦフィルタ中心の変更が要求されない場合、相対的に小さいＴ２が使われ得る。複数のＴ２が使われる場合、複数のＲＦ遷移区間が設定され得る。この場合、ＲＦ遷移区間はＴ２別に設定され得る。またはＲＦ遷移区間は第１帯域幅部分、第２帯域幅部分、および「第１帯域幅部分と第２帯域幅部分の組み合わせ」のそれぞれのために設定され得る。ＲＦ遷移区間がＴ２別に設定される場合、端末は帯域幅部分のスイッチングのために使われるＴ２が決定された後、Ｔ２に対応するＲＦ遷移区間により帯域幅部分のスイッチングを遂行することができる。
【０１８４】
一方、第１帯域幅部分のヌメロロジーは第２帯域幅部分のヌメロロジーと異なり得る。ＲＦ遷移区間の長さおよびオフセット（例えば、Ｏ１、Ｏ２、Ｏ３）のそれぞれは第１帯域幅部分および第２帯域幅部分のうちであらかじめ決定された帯域幅部分のヌメロロジーを基準に定義され得る。例えば、図１１ａの実施例または図１１ｃの実施例によりＲＦ遷移区間が設定される場合、Ｎ１、Ｎ２、およびＮ４のそれぞれは第１帯域幅部分のヌメロロジー（例えば、シンボル長、副搬送波間隔）を基準に決定され得る。
【０１８５】
または図１１ｂの実施例によりＲＦ遷移区間が設定される場合、Ｎ１およびＮ３のそれぞれは第２帯域幅部分のヌメロロジー（例えば、シンボル長、副搬送波間隔）を基準に決定され得る。またはＲＦ遷移区間は第１帯域幅部分の副搬送波間隔および第２帯域幅部分の副搬送波間隔の中で小さい副搬送波間隔または大きい副搬送波間隔に基づいて設定され得る。またはＲＦ遷移区間は基準ヌメロロジーに基づいて設定され得る。基準ヌメロロジーは第１帯域幅部分のヌメロロジーおよび第２帯域幅部分のヌメロロジーと関係なく設定され得る。基準ヌメロロジーはＲＦ遷移区間の設定情報に含まれ得る。
【０１８６】
＜動的スロットフォーマットの設定＞
基地局はＤＣＩを使ってスロットフォーマットを動的に端末に知らせることができる。基地局はＳＦＩによって指示可能なスロットフォーマットの候補をＲＲＣシグナリングを通じて端末にあらかじめ知らせることができる。その後、基地局はスロットフォーマット候補の中で一つのスロットフォーマットを指示するＳＦＩを含むＤＣＩを端末に伝送することができる。スロットフォーマット候補の集合はセル別またはキャリア別に設定され得、一つのセル内のすべての帯域幅部分で共通に適用され得る。スロットフォーマット候補を解釈するための基準として使われる副搬送波間隔（例えば、基準副搬送波間隔）はＲＲＣシグナリングを通じて端末に設定され得、セル別またはキャリア別に設定され得る。一つのセル内でＲＲＣシグナリングによって設定されるすべてのスロットフォーマット候補に同一の基準副搬送波間隔が適用され得る。
【０１８７】
例えば、基地局は４個のスロットフォーマット候補をＲＲＣシグナリングを通じて端末に設定することができる。４個のスロットフォーマット候補のそれぞれは［ＤＤＤＤＤＤＤＤＤＤＤＤＤＤ］、［ＤＤＤＤＤＤＤＤＤＤＸＸＵＵ］、［ＤＤＤＤＤＤＤＤＸＸＵＵＵＵ］、または［ＤＤＤＤＤＤＸＸＵＵＵＵＵＵ］であり得る。４個のスロットフォーマット候補のそれぞれは１個のスロットに対するフォーマットであり得る。スロットフォーマット候補で、「Ｄ」はダウンリンクシンボルであり得、「Ｘ」はアンノウンシンボルであり得、「Ｕ」はアップリンクシンボルであり得る。４個のスロットフォーマット候補と共にＳＦＩの基準副搬送波間隔（例えば、１５ｋＨｚ）が設定され得る。この場合、１個のスロットの長さは１ｍｓであり得る。基地局は４個のスロットフォーマット候補のうちで一つを指示するＳＦＩを含むＤＣＩを端末に伝送することができる。ＤＣＩを受信した端末はＤＣＩに含まれたＳＦＩに基づいてスロットフォーマットを確認することができ、確認されたスロットフォーマットをＤＣＩを受信したスロットに適用することができる。
【０１８８】
反面、端末のＳＦＩ（例えば、ＳＦＩを含むＤＣＩ）受信のためのＰＤＣＣＨモニタリングオケージョン（ｍｏｎｉｔｏｒｉｎｇ  ｏｃｃａｓｉｏｎ）は帯域幅部分別に設定され得る。具体的には、ＳＦＩの伝送に使われるＤＣＩフォーマットはＰＤＣＣＨ共通探索空間を通じて伝送され得、ＳＦＩ伝送のためのＰＤＣＣＨ共通探索空間のモニタリング周期はダウンリンク帯域幅部分別に設定され得る。ＳＦＩ受信のためのＰＤＣＣＨモニタリングオケージョン（以下、「ＳＦＩモニタリングオケージョン」という）は次のように設定され得る。
【０１８９】
図１２は、通信システムでＳＦＩモニタリングオケージョンの第１実施例を図示した概念図である。
【０１９０】
図１２を参照すると、第１帯域幅部分でＳＦＩモニタリングオケージョンは第２帯域幅部分でＳＦＩモニタリングオケージョンと異なって設定され得る。例えば、第１帯域幅部分でＳＦＩモニタリングオケージョンの周期は１個のスロットであり得、第２帯域幅部分でＳＦＩモニタリングオケージョンの周期は２個のスロットであり得る。基地局は帯域幅部分のそれぞれのＳＦＩモニタリングオケージョンの周期を端末に設定することができる。この場合、第１帯域幅部分で受信されたＳＦＩは１個のスロットに対するフォーマットを指示することができ、第２帯域幅部分で受信されたＳＦＩは２個のスロットに対するフォーマットを指示することができる。ここで、第１帯域幅部分のヌメロロジーは第２帯域幅部分のヌメロロジーと同一のものと仮定され得る。
【０１９１】
端末は第１帯域幅部分から第２帯域幅部分にスイッチングを遂行するように指示を受けることができる。第１帯域幅部分から第２帯域幅部分にスイッチングすることが指示される場合、端末はスロット＃ｎの第１帯域幅部分を通じてＤＣＩを受信することができ、ＤＣＩに含まれたスケジューリング情報を確認することができる。スケジューリング情報は第２帯域幅部分で伝送されるデータチャネル（例えば、ＰＤＳＣＨまたはＰＵＳＣＨ）のためのスケジューリング情報であり得る。例えば、ＤＣＩによってスロット＃ｎおよび＃（ｎ＋１）のそれぞれにデータチャネルがスケジューリングされ得る。すなわち、スロット＃ｎ内のＤ１にデータチャネルがスケジューリングされ得、スロット＃（ｎ＋１）内のＤ２にデータチャネルがスケジューリングされ得る。
【０１９２】
帯域幅部分のスイッチング動作の遂行前に、端末はスロット＃ｎの第１帯域幅部分でＳＦＩを成功裏に受信することができる。この場合、ＳＦＩはスロット＃ｎの第１帯域幅部分だけでなく第２帯域幅部分にも適用され得る。したがって、第１帯域幅部分から第２帯域幅部分にスイッチングされた後、第１帯域幅部分のヌメロロジーと第２帯域幅部分のヌメロロジー間の同一性の有無にかかわらず、端末はスロット＃ｎの第１帯域幅部分で受信されたＳＦＩによって指示されるスロットフォーマットをスロット＃ｎの第２帯域幅部分に適用することができる。第１帯域幅部分のヌメロロジーが第２帯域幅部分のヌメロロジーと異なる場合、端末は図７を参照して説明された方法などによってヌメロロジーを変換することによって、スロット＃ｎの第１帯域幅部分で受信されたＳＦＩによって指示されるスロットフォーマットをスロット＃ｎの第２帯域幅部分に適用することができる。
【０１９３】
しかし、本実施例では、帯域幅部分のスイッチングによってスロット＃（ｎ＋１）に対するＳＦＩが伝送され得るＳＦＩモニタリングオケージョンが存在しない。したがって、端末は既存の方法を通じてはスロット＃（ｎ＋１）に対する動的スロットフォーマットを取得することが困難であり得る。下記の実施例で、帯域幅部分のスイッチングによって、ＳＦＩによってスロットフォーマットが指示されない区間（以下、「第１区間」という）での端末動作が説明される。
【０１９４】
半固定的スロットフォーマットが端末に設定された場合、端末は半固定的スロットフォーマットに基づいてダウンリンク区間でダウンリンク伝送を仮定することができ、アップリンク区間でアップリンク伝送を仮定することができる。この場合、第１区間内で半固定的スロットフォーマットによってアンノウンに設定された区間で端末動作が追加に定義され得る。反面、半固定的スロットフォーマットが端末に設定されていない場合、端末は第１区間を構成するすべてのシンボルをアンノウンシンボルと見なすことができる。この場合、第１区間全体で端末動作が定義され得る。下記の実施例で、第１区間内の「半固定的アンノウンシンボル」および「半固定的アンノウン区間」のそれぞれは半固定的スロットフォーマットによってアンノウンに設定された区間と半固定的スロットフォーマットが端末に設定されていない場合にアンノウンシンボルと見なされるシンボルをすべて指示することができる。
【０１９５】
「方法６００」で、端末は第１区間の半固定的アンノウンシンボルでいかなる動作も遂行しないことができる。端末は第１区間の半固定的アンノウンシンボルでデータチャネル（例えば、ＰＤＳＣＨまたはＰＵＳＣＨ）を送受信しないことができ、参照信号の伝送／測定動作を遂行しないことができる。図１２の実施例でＤ２が半固定的アンノウンシンボルで構成される場合、端末はＤ２でデータチャネルを送受信しないことができる。また、端末は第１区間でデータチャネルがスケジューリングされることを期待しないことができる。したがって、本実施例で端末はＤ１でのみデータチャネルを送受信することができる。
【０１９６】
「方法６０１」で、端末は第１区間でＳＦＩモニタリングオケージョンが設定されないものと見なすことができ、ＳＦＩモニタリングオケージョンが設定されていない場合と同じ動作を遂行することができる。すなわち、第１帯域幅部分および第２帯域幅部分に対するＳＦＩモニタリングオケージョンが設定されたにもかかわらず、端末は第１区間でＳＦＩモニタリングオケージョンが設定されないものと見なすことができる。図１２の実施例でＤ２が半固定的アップリンクシンボルを含まない場合、端末はスロット＃（ｎ＋１）でＰＤＳＣＨを受信することができる。または端末は第１区間内の半固定的アンノウンシンボルでＰＤＣＣＨをモニタリングすることができる。または端末は第１区間内の半固定的アンノウンシンボルで上位階層シグナリングによって設定された半固定的または半永久的参照信号の送受信／測定動作を遂行することができる。
【０１９７】
一方、ＳＦＩモニタリングオケージョンが端末に設定されたが、端末は特定ＳＦＩモニタリングオケージョン（例、特定スロットのＰＤＣＣＨモニタリングオケージョン）でＳＦＩを受信できないこともある。「方法６０２」で、第１区間でＳＦＩモニタリングオケージョンが端末に設定されていないにもかかわらず、端末は第１区間でＳＦＩモニタリングオケージョンが設定されたがＳＦＩを受信しなかったものと見なすことができ、ＳＦＩを受信しない場合と同じ動作を遂行することができる。例えば、端末は第１区間内の半固定的アンノウンシンボルで動的スケジューリングされるデータチャネルまたはＰＤＣＣＨモニタリングに対して「方法６０１」による動作を遂行することができる。または端末は第１区間内の半固定的アンノウンシンボルで上位階層シグナリングによって設定された半固定的または半永久的参照信号を送信しないことができる。
【０１９８】
「方法６０３」で、端末は以前のスロットのフォーマットを第１区間に適用することができる。図１２の実施例で、端末は第１帯域幅部分のスロット＃ｎで受信されたＳＦＩをスロット＃（ｎ＋１）（例えば、スロット＃（ｎ＋１）内の第１区間）に適用することができる。すなわち、端末は第１帯域幅部分で受信されたＳＦＩを第２帯域幅部分の次のＳＦＩモニタリングオケージョン以前まで繰り返し適用することができる。ＳＦＩが複数のスロットに対するフォーマットを指示する場合、該当ＳＦＩは次のＳＦＩモニタリングオケージョン以前までラップアラウンド（ｗｒａｐ−ａｒｏｕｎｄ）の形態で反復適用され得る。
【０１９９】
「方法６０４」で、基地局は第１区間のスロットフォーマットの設定情報を含むＳＦＩ（例えば、帯域幅部分のスイッチング前に伝送されるＳＦＩ）を生成することができ、生成されたＳＦＩを端末に伝送することができる。図１２の実施例で、端末は第１帯域幅部分のスロット＃ｎで受信されたＳＦＩに基づいて第１区間のスロットフォーマットの設定情報を確認することができる。
【０２００】
「方法６０５」で、基地局は第１区間のスロットフォーマットの設定情報を含むＤＣＩ（例えば、帯域幅部分のスイッチングを指示するＤＣＩ）を生成することができ、生成されたＤＣＩを端末に伝送することができる。図１２の実施例で、端末は第１帯域幅部分のスロット＃ｎで受信されたＤＣＩに基づいて第１区間のスロットフォーマットの設定情報を確認することができる。
【０２０１】
または「方法６０５」で２段階のＤＣＩが使われ得る。端末は第１ＤＣＩおよび第２ＤＣＩを受信することによってデータチャネルのスケジューリング情報を取得することができる。ここで、第１ＤＣＩおよび第２ＤＣＩはＰＤＣＣＨ探索空間を通じて伝送され得る。または第１ＤＣＩはＰＤＣＣＨ探索空間を通じて伝送され得、第２ＤＣＩはデータチャネルがスケジューリングされる資源領域の一部を通じて伝送され得る。この場合、第１ＤＣＩは帯域幅部分指示子フィールドを含むことができる。
【０２０２】
第１ＤＣＩによって帯域幅部分のスイッチングがトリガリングされる場合、第２ＤＣＩはスイッチングされた帯域幅部分（例えば、第２帯域幅部分）で伝送され得る。この場合、基地局は第１区間のスロットフォーマットの設定情報を含む第２ＤＣＩを端末に伝送することができる。この方法は「方法６０６」と呼ばれ得る。第２ＤＣＩのペイロードの大きさは第１ＤＣＩのペイロードの大きさに比べて制約が大きくないため、第１区間のスロットフォーマットの設定情報はＰＤＣＣＨ探索空間を通じて伝送される第１ＤＣＩより第２ＤＣＩに含まれることが好ましい。帯域幅部分のスイッチング過程で第１区間が発生する場合、端末は第１区間のスロットフォーマットの設定情報が第２ＤＣＩに含まれるものと仮定することができる。または第１ＤＣＩは第１区間のスロットフォーマットの設定情報が第２ＤＣＩに含まれるかどうかを指示する指示子を含むことができる。
【０２０３】
前述した方法のいかなる方法を使用しても、端末は帯域幅部分のスイッチングを指示するＤＣＩ（例えば、帯域幅部分指示子フィールドを含むＤＣＩ）によりスケジューリングされるデータチャネルの伝送の有無を既存と同一の基準を使って判断することができる。例えば、図１２のスロット＃（ｎ＋１）でデータチャネルの伝送方向が半固定的スロットフォーマットによる伝送方向と衝突しない場合、端末は該当データチャネルを送受信することができる。
【０２０４】
一方、前述した問題点を解決するための他の方法として、端末は同一セル内のすべての帯域幅部分で共通ＳＦＩモニタリングオケージョンおよび共通オフセットを使うことができる。この方法は「方法６１０」と呼ばれ得る。端末は同一セル内のすべてのダウンリンク帯域幅部分でＳＦＩ受信のためのＰＤＣＣＨモニタリングオケージョンの周期およびオフセット（例えば、スロットオフセット）が同一に設定されるものと期待することができる。「方法６１０」によると、端末は活性帯域幅部分にかかわらず、一定の時点でＳＦＩをモニタリングすることができるので、スロットフォーマットが指示されない区間（例えば、第１区間）が発生しないことができる。
【０２０５】
「方法６１０」は同一の副搬送波間隔を有する帯域幅部分に適用され得る。ただし、帯域幅部分が互いに異なる副搬送波間隔を有する場合にも、ＤＣＩフォーマット２−０のための探索空間のモニタリング周期およびオフセットが適切に調節されることによって、端末のＳＦＩモニタリングオケージョンの周期およびオフセットは互いに異なる副搬送波間隔を有する帯域幅部分で同一に設定され得る。例えば、１５ｋＨｚおよび３０ｋＨｚの副搬送波間隔を有するダウンリンク帯域幅部分が端末に設定される場合、端末は１５ｋＨｚの副搬送波間隔を有するダウンリンク帯域幅部分でＳ番目のスロットごとにＳＦＩをモニタリングすることができ、３０ｋＨｚの副搬送波間隔を有するダウンリンク帯域幅部分で（２×Ｓ）番目のスロットごとにＳＦＩをモニタリングすることができる。この場合、１５ｋＨｚの副搬送波間隔を有するダウンリンク帯域幅部分でＳＦＩモニタリングオケージョンの周期の絶対値は、３０ｋＨｚの副搬送波間隔を有するダウンリンク帯域幅部分でＳＦＩモニタリングオケージョンの周期の絶対値と同じであり得る。「方法６１０」は下記で説明される図１３の実施例に適用され得る。
【０２０６】
図１３は、通信システムでＳＦＩモニタリングオケージョンの第２実施例を図示した概念図である。
【０２０７】
図１３を参照すると、第１帯域幅部分でＳＦＩモニタリングオケージョンは第２帯域幅部分でＳＦＩモニタリングオケージョンと異なって設定され得る。例えば、第１帯域幅部分でＳＦＩモニタリングオケージョンの周期は２個のスロットであり得、第２帯域幅部分でＳＦＩモニタリングオケージョンの周期は１個のスロットであり得る。この場合、端末が第１帯域幅部分で受信するＳＦＩは２個のスロットに対するスロットフォーマットを指示することができ、端末が第２帯域幅部分で受信するＳＦＩは１個のスロットに対するスロットフォーマットを指示することができる。したがって、端末はスロット＃（ｎ＋１）のフォーマットを指示する複数のＳＦＩを受信することができる。例えば、端末はスロット＃ｎで第１帯域幅部分を通じて受信されたＳＦＩ（以下、「第１ＳＦＩ」という）に基づいてスロット＃（ｎ＋１）のフォーマットを確認することができ、スロット＃（ｎ＋１）で第２帯域幅部分を通じて受信されたＳＦＩ（以下、「第２ＳＦＩ」という）を通じてスロット＃（ｎ＋１）のフォーマットを確認することができる。複数のＳＦＩによってスロットフォーマットが指示される区間（以下、「第２区間」という）で端末動作が定義され得る。
【０２０８】
前述した通り、ＳＦＩモニタリングオケージョンが端末に設定された場合に、端末は第２区間のスロットフォーマットを指示する１個のＳＦＩを受信することを期待することができる。この方法は「方法６２０」と呼ばれ得る。したがって、基地局は第１ＳＦＩおよび第２ＳＦＩのうち一つのＳＦＩを端末に伝送することができる。第１ＳＦＩの代わりに第２ＳＦＩが伝送される場合にスロット＃ｎのフォーマットが指示されない場合もあるため、基地局は第２ＳＦＩの代わりに第１ＳＦＩを伝送することが好ましい。ＳＦＩが選択的に伝送される場合、基地局はＳＦＩモニタリングオケージョンの周期が相対的に長く設定された帯域幅部分でＳＦＩを伝送することができる。この場合、端末はＳＦＩモニタリングオケージョンの中で相対的に長い周期を有するＳＦＩモニタリングオケージョンでＳＦＩを受信することを期待することができる。
【０２０９】
または端末は第２区間のスロットフォーマットを指示する一つ以上のＳＦＩを受信することを期待することができる。複数のＳＦＩによって第２区間のスロットフォーマットが指示される場合、端末は複数のＳＦＩによって指示されるスロットフォーマットが同一のものと仮定することができる。この方法は「方法６２１」と呼ばれ得る。「方法６２１」が使われる場合、端末は第１ＳＦＩが成功裏に受信された場合に第２ＳＦＩの受信のためのモニタリング動作を遂行しないことができる。ただし、第１ＳＦＩの偽り警報（ｆａｌｓｅ  ａｌａｒｍ）が発生する場合、端末が第２ＳＦＩのモニタリング動作を遂行することが役に立ち得る。
【０２１０】
一方、基地局はスロット＃ｎでＳＦＩを伝送した場合にもスロット＃（ｎ＋１）のＳＦＩを通じてスロット＃（ｎ＋１）のフォーマットをアップデートすることができる。この場合、端末は第２区間のための複数のＳＦＩの受信を期待することができ、複数のＳＦＩが受信された場合に最新のＳＦＩを第２区間に適用することができる。この方法は「方法６２２」と呼ばれ得る。ただし、端末が第１ＳＦＩを成功裏に受信したが第２ＳＦＩを受信できなかった場合、第２区間のスロットフォーマットに対する基地局と端末の理解は互いに異なり得る。
【０２１１】
他の方法として、端末は帯域幅部分のスイッチングを遂行する場合に一定の時間区間で動的なスロットフォーマットの設定を適用しないことがある。この方法は「方法６３０」と呼ばれ得る。すなわち、端末は一定の時間区間を帯域幅部分のスイッチングによる安定化区間と見なすことができ、一定の時間区間内で曖昧性を引き起こし得る動作を遂行しないことができる。例えば、端末は一定の時間区間内で受信されたＳＦＩを無視することができる。ＳＦＩが適用されない一定の時間区間の長さは規格にあらかじめ定義され得る。または基地局は一定の時間区間の長さを端末に設定することができる。一定の時間区間の位置は基準時点から誘導され得る。例えば、ＳＦＩが適用されない一定の時間区間の位置は、帯域幅部分のスイッチングを指示するＤＣＩの受信時点（例えば、シンボルまたはスロット）または第２帯域幅部分の活性化時点（例えば、シンボルまたはスロット）を基準に決定され得る。「方法６３０」はスロットフォーマットの設定動作の他に他の動作のために使われ得る。例えば、「方法６３０」は下記で説明されるプリエンプション指示子ＰＩによる端末動作を定義するために使われ得る。
【０２１２】
図１４は、通信システムでＰＩモニタリングオケージョンの第１実施例を図示した概念図である。
【０２１３】
図１４を参照すると、ＰＩ受信のためのＰＤＣＣＨモニタリングオケージョン（以下、「ＰＩモニタリングオケージョン」という）は帯域幅部分別に設定され得る。第１帯域幅部分および第２帯域幅部分のそれぞれで互いに異なるＰＩモニタリングオケージョンが端末に設定され得る。例えば、第１帯域幅部分でＰＩモニタリングオケージョンの周期は２個のスロットで設定され得、第２帯域幅部分でＰＩモニタリングオケージョンの周期は１個のスロットで設定され得る。端末がＰＩを適用する時間区間はＰＩの受信時点直前の一つのＰＩモニタリングオケージョンであり得る。すなわち、ＰＩが適用される時間区間はＰＩの受信時点直前のＰＩモニタリングオケージョン内の最初のシンボルからＰＩが受信されたＰＩモニタリングオケージョン内の最初のシンボルの前のシンボルまでであり得る。端末は第１帯域幅部分のスロット＃（ｎ−１）で受信されたＰＩをスロット＃（ｎ−３）および＃（ｎ−２）に適用することができ、第２帯域幅部分のスロット＃（ｎ＋１）で受信されたＰＩをスロット＃ｎに適用することができ、第２帯域幅部分のスロット＃（ｎ＋２）で受信されたＰＩをスロット＃（ｎ＋１）に適用することができる。
【０２１４】
端末はスロット＃ｎで受信されたＤＣＩにより帯域幅部分のスイッチング動作を遂行することができる。この場合、端末の帯域幅部分は第１帯域幅部分から第２帯域幅部分にスイッチングされ得る。帯域幅部分がスイッチングされた後に、端末はスロット＃（ｎ＋１）でＰＩを受信することができる。この場合、スロット＃（ｎ＋１）で受信されたＰＩが適用される時間区間に対する定義が必要となり得る。ＰＩは第２帯域幅部分で受信されるため、ＰＩが適用される時間区間は第２帯域幅部分のＰＩモニタリングオケージョンの周期を基準に決定され得る。例えば、スロット＃（ｎ＋１）で受信されたＰＩはスロット＃ｎに適用され得る。ただし、スロット＃（ｎ−１）でプリエンプションが発生した場合、基地局はスロット＃（ｎ−１）でプリエンプションが発生したことを端末に知らせることはできない。このような問題点を解決するために、スロット＃（ｎ＋１）で受信されたＰＩはスロット＃（ｎ−１）および＃ｎに適用され得る。この場合、基地局はスロット＃（ｎ＋１）で伝送されるＰＩを使ってスロット＃（ｎ−１）でプリエンプションが発生したことを端末に知らせることができる。
【０２１５】
＜タイマー基盤の帯域幅部分のスイッチング＞
端末は第１帯域幅部分でＤＣＩを受信することができ、ＤＣＩの帯域幅部分指示子フィールドに基づいて第１帯域幅部分から第２帯域幅部分にスイッチングが要求されることを確認することができる。タイマー基盤の帯域幅部分のスイッチング方法が端末で支援されない場合、端末はフォールバック動作が必要な場合以外に第３帯域幅部分へのスイッチングを指示するＤＣＩを受信する前まで第２帯域幅部分で動作することができる。ここで、第１帯域幅部分は第３帯域幅部分であり得る。反面、タイマー基盤の帯域幅部分のスイッチング方法が端末で支援される場合、端末は第２帯域幅部分の活性時間を確認するために使われるタイマーを稼動させることができ、タイマーが満了する場合に第２帯域幅部分の非活性化動作およびデフォルト（ｄｅｆａｕｌｔ）帯域幅部分へのスイッチング動作を遂行することができる。
【０２１６】
端末に設定された帯域幅部分の中で一つの帯域幅部分はデフォルト帯域幅部分に設定され得る。デフォルト帯域幅部分が別途に設定されていない場合、初期の活性帯域幅部分がデフォルト帯域幅部分として使われ得る。例えば、初期活性帯域幅部分が第１帯域幅部分である場合、第１帯域幅部分はデフォルト帯域幅部分であり得る。基地局はタイマーを端末に設定することができる。タイマーの設定単位はｍｓまたはスロットであり得る。タイマーが５０ｍｓに設定される場合、タイマーの満了時点は５０ｍｓであり得、タイマーは０ｍｓで初期化され得る。またはタイマーが５０ｍｓに設定される場合、タイマーの満了時点は０ｍｓであり得、タイマーは５０ｍｓに初期化され得る。
【０２１７】
第２帯域幅部分でデータチャネルをスケジューリングするＤＣＩが受信された場合、端末はタイマーを初期化または延長させることによって、第２帯域幅部分の活性時間を延長させることができる。タイマーが延長されることは、タイマーが初期値と区別される他の値に設定されることを意味し得る。ＦＤＤ基盤の通信システムで、タイマーはアップリンク帯域幅部分およびダウンリンク帯域幅部分のそれぞれに独立的に適用され得る。ＴＤＤ基盤の通信システムで、タイマーはアップリンク帯域幅部分とダウンリンク帯域幅部分の対に適用され得る。
【０２１８】
一方、端末は多様な目的のためにランダムアクセス手続きを遂行することができる。ＲＲＣ連結状態で動作する端末も競争または非競争基盤のランダムアクセス手続きを遂行することができる。例えば、ＳＲ（ｓｃｈｅｄｕｌｉｎｇ  ｒｅｑｕｅｓｔ）またはＢＳＲ（ｂｕｆｆｅｒ  ｓｔａｔｕｓ  ｒｅｐｏｒｔ）を伝送する物理資源が存在しない場合、端末はＰＲＡＣＨを基地局に伝送することによって競争基盤ランダムアクセス手続きを遂行することができる。
【０２１９】
活性アップリンク帯域幅部分にＰＲＡＣＨ資源が存在し、活性ダウンリンク帯域幅部分にＭｓｇ２および／またはＭｓｇ４の受信のための探索空間が存在する場合、端末は活性帯域幅部分を通じてランダムアクセス手続きを遂行することができる。ただし、活性アップリンク帯域幅部分にＰＲＡＣＨ資源がない場合、端末は現在の活性アップリンク帯域幅部分をＰＲＡＣＨ資源が設定されているアップリンク帯域幅部分にスイッチングすることができる。活性ダウンリンク帯域幅部分にＭｓｇ２および／またはＭｓｇ４の受信のための探索空間がない場合、端末は現在の活性ダウンリンク帯域幅部分をＭｓｇ２および／またはＭｓｇ４の受信のための探索空間が設定されているダウンリンク帯域幅部分にスイッチングすることができる。または端末は端末に設定されたすべてのダウンリンク帯域幅部分でＭｓｇ２および／またはＭｓｇ４の受信のためのＰＤＣＣＨ探索空間が設定されることを期待することができる。すなわち、端末は端末に設定されたすべてのダウンリンク帯域幅部分のそれぞれがＤＣＩフォーマット０−０をモニタリングするための共通探索空間を含む制御資源集合（ＣＯＲＥＳＥＴ）と論理的に結合されることを期待することができる。
【０２２０】
活性帯域幅部分でランダムアクセス手続きの遂行中に帯域幅部分のスイッチングが必要な場合が発生し得る。例えば、タイマー基盤の帯域幅部分スイッチングが支援され、ＰＲＡＣＨの伝送後に活性帯域幅部分のタイマーが満了する場合が発生し得る。この場合、端末はデフォルト帯域幅部分へのスイッチングなしにＰＲＡＣＨが伝送された帯域幅部分でランダムアクセス手続きを継続して遂行することができる。この方法は「方法７００」と呼ばれ得る。または端末は現在の活性帯域幅部分をデフォルト帯域幅部分にスイッチングすることができ、スイッチングされたデフォルト帯域幅部分でランダムアクセス手続き（例えば、「スイッチング前の活性帯域幅部分で遂行されたランダムアクセス手続きと連続したランダムアクセス手続き」または「新しいランダムアクセス手続き」）を遂行することができる。この方法は「方法７１０」と呼ばれ得る。
【０２２１】
「方法７００」が使われる場合、活性帯域幅部分に対するタイマーを初期化または延長させる方法が使われ得る。この方法は「方法７０１」と呼ばれ得る。ＰＲＡＣＨに対する応答であるＭｓｇ２が基地局から受信されていない場合、端末は他のビームを通じてＰＲＡＣＨを再び伝送したり、高い伝送パワーを使ってＰＲＡＣＨを再び伝送したりすることができる。複数のＰＲＡＣＨが伝送される場合、基地局は端末が最後に伝送したＰＲＡＣＨを受信することができる。この場合、基地局は受信されたＰＲＡＣＨが端末から何番目で伝送されたＰＲＡＣＨ（例えば、プリアンブル）であるかが分からない場合がある。
【０２２２】
Ｍｓｇ１の送受信が完了した後に基地局と端末が同じタイマーを仮定することを保障するために、端末はＰＲＡＣＨを伝送するたびにタイマーを初期化したり延長したりすることができる。この方法は「方法７０２」と呼ばれ得る。「方法７０２」で、基地局はＰＲＡＣＨが受信された場合にタイマーを初期化したり延長したりすることができる。複数のＰＲＡＣＨが端末から受信された場合、基地局はＰＲＡＣＨを受信するたびにタイマーを初期化したり延長したりすることができる。「方法７０１」に使われるタイマーは基地局によって端末に設定され得る。または「方法７０１」に使われるタイマー値は帯域幅部分のスイッチング動作に適用されるタイマー値と同じであり得る。
【０２２３】
ＴＤＤ基盤の通信システムで、「方法７０１」によるタイマーの管理方法は、アップリンク帯域幅部分とダウンリンク帯域幅部分の対に適用され得る。アップリンク帯域幅部分のＩＤがダウンリンク帯域幅部分のＩＤと同じである場合、アップリンク帯域幅部分およびダウンリンク帯域幅部分で共通タイマーが使われ得る。ＦＤＤ基盤の通信システムで、タイマーはアップリンク帯域幅部分およびダウンリンク帯域幅部分のそれぞれで独立的に管理され得る。またはタイマーはダウンリンク帯域幅部分でのみ使われ得る。したがって、ＦＤＤ基盤の通信システムで、「方法７０１」はアップリンク帯域幅部分およびダウンリンク帯域幅部分のうちで一つの帯域幅部分に適用され得る。Ｍｓｇ１伝送手続きの保護のために、「方法７０１」はアップリンク帯域幅部分にのみ使われ得る。例えば、ＰＲＡＣＨを伝送した端末はＰＲＡＣＨが伝送されたアップリンク帯域幅部分のタイマーを初期化したり延長したりすることができる。アップリンク帯域幅部分でタイマーが使われない場合、「方法７０１」はダウンリンク帯域幅部分またはＴＤＤ基盤の通信システムに適用され得る。
【０２２４】
「方法７１０」でＭｓｇ１伝送手続きの遂行中に活性帯域幅部分がデフォルト帯域幅部分にスイッチングされる場合、端末はスイッチングされたデフォルト帯域幅部分でＭｓｇ１伝送手続き（例えば、「スイッチング前の活性帯域幅部分で遂行されたＭｓｇ１伝送手続きと連続したＭｓｇ１伝送手続き」または「新しいＭｓｇ１伝送手続き」）を遂行することができる。「スイッチング前の活性帯域幅部分で遂行されたＭｓｇ１伝送手続きと連続したＭｓｇ１伝送手続き」が遂行される場合、端末は帯域幅部分のスイッチング後にパワーランピング（ｒａｍｐｉｎｇ）カウンター（ｃｏｕｎｔｅｒ）および／またはビーム変更情報の変更なしにＭｓｇ１伝送手続きを進行することができる。この方法によると、スイッチング前の帯域幅部分でチャネル／ビーム環境およびＰＲＡＣＨ資源設定のそれぞれがスイッチングされたデフォルト帯域幅部分でチャネル／ビーム環境およびＰＲＡＣＨ資源設定と類似する場合、Ｍｓｇ１を成功裏に伝送するために所要される時間が短縮され得る。反面、「新しいＭｓｇ１伝送手続き」が遂行される場合、端末はパワーランピングカウンターおよび／またはビーム変更情報を初期化することができ、デフォルト帯域幅部分で新しいＭｓｇ１伝送手続きを遂行することができる。前述した二つの方法は互いに異なる環境のために使われ得る。この場合、基地局は二つの方法のうち、使われる方法を端末に知らせることができる。
【０２２５】
タイマー基盤の帯域幅部分のスイッチングが支援される環境で「方法７００」、「方法７００」の細部方法、「方法７１０」、および「方法７１０」の細部方法が説明されたが、「方法７００」、「方法７００」の細部方法、「方法７１０」、および「方法７１０」の細部方法は、タイマー基盤の帯域幅部分のスイッチングが支援されない環境にも適用され得る。ランダムアクセス手続きの遂行中にＤＣＩの指示によって帯域幅部分のスイッチングが必要な場合が発生し得る。この場合、「方法７００」、「方法７００」の細部方法、「方法７１０」、および「方法７１０」の細部方法は使われ得る。
【０２２６】
本発明に係る方法は多様なコンピュータ手段を通じて遂行され得るプログラム命令の形態で具現されて、コンピュータ可読媒体に記録され得る。コンピュータ可読媒体はプログラム命令、データファイル、データ構造などを単独でまたは組み合わせて含むことができる。コンピュータ可読媒体に記録されるプログラム命令は本発明のために特別に設計されて構成されたものであるかコンピュータソフトウェアの当業者に公知とされている使用可能なものであり得る。
【０２２７】
コンピュータ可読媒体の例には、ロム（ｒｏｍ）、ラム（ｒａｍ）、フラッシュメモリ（ｆｌａｓｈ  ｍｅｍｏｒｙ）等のようにプログラム命令を保存して遂行するように特別に構成されたハードウェア装置が含まれる。プログラム命令の例には、コンパイラ（ｃｏｍｐｉｌｅｒ）により作られるような機械語コードだけでなくインタープリタ（ｉｎｔｅｒｐｒｅｔｅｒ）等を使ってコンピュータによって実行され得る高級言語コードを含む。前述したハードウェア装置は本発明の動作を遂行するために、少なくとも一つのソフトウェアモジュールで作動するように構成され得、その逆も同じである。
【０２２８】
以上、実施例を参照して説明したが、該当技術分野の熟練した当業者は下記の特許請求の範囲に記載された本発明の思想および領域から逸脱しない範囲内で本発明を多様に修正および変更できることが理解できるであろう。
【図１】
2020523942.tif 000003
【図２】
2020523942.tif 000004
【図３】
2020523942.tif 000005
【図４】
2020523942.tif 000006
【図５】
2020523942.tif 000007
【図６】
2020523942.tif 000008
【図７】
2020523942.tif 000009
【図８】
2020523942.tif 000010
【図９ａ】
2020523942.tif 000011
【図９ｂ】
2020523942.tif 000012
【図９ｃ】
2020523942.tif 000013
【図１０】
2020523942.tif 000014
【図１１ａ】
2020523942.tif 000015
【図１１ｂ】
2020523942.tif 000016
【図１１ｃ】
2020523942.tif 000017
【図１２】
2020523942.tif 000018
【図１３】
2020523942.tif 000019
【図１４】
2020523942.tif 000020
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
通信システムの基地局の動作方法であって、
データチャネルのスケジューリングのために使われるＤＣＩ（ｄｏｗｎｌｉｎｋ  ｃｏｎｔｒｏｌ  ｉｎｆｏｒｍａｔｉｏｎ）が伝送される探索空間（ｓｅａｒｃｈ  ｓｐａｃｅ）のタイプに基づいて、前記データチャネルのＤＭＲＳ（ｄｅｍｏｄｕｌａｔｉｏｎ  ｒｅｆｅｒｅｎｃｅ  ｓｉｇｎａｌ）のマッピング（ｍａｐｐｉｎｇ）のための参照ポイント（ｒｅｆｅｒｅｎｃｅ  ｐｏｉｎｔ）を決定する段階；
前記参照ポイントに基づいて決定されたＲＥ（ｒｅｓｏｕｒｃｅ  ｅｌｅｍｅｎｔｓ）に前記データチャネルの前記ＤＭＲＳをマッピングする段階；および
前記ＲＥにマッピングされた前記ＤＭＲＳを含む前記データチャネルをＵＥ（ｕｓｅｒ  ｅｑｕｉｐｍｅｎｔ）に伝送する段階、
を含み、
前記探索空間の前記タイプがＵＳＳ（ＵＥ−ｓｐｅｃｉｆｉｃ  ｓｅａｒｃｈ  ｓｐａｃｅ）である場合、前記参照ポイントは、最も低い番号の（ｌｏｗｅｓｔ−ｎｕｍｂｅｒｅｄ）ＣＲＢ（ｃｏｍｍｏｎ  ｒｅｓｏｕｒｃｅ  ｂｌｏｃｋ）内の最も低い番号のサブキャリア（ｓｕｂｃａｒｒｉｅｒ）に決定される、
基地局の動作方法。
【請求項２】
前記探索空間の前記タイプが特定のＣＳＳ（ｃｏｍｍｏｎ  ｓｅａｒｃｈ  ｓｐａｃｅ）である場合、前記参照ポイントは、初期（ｉｎｉｔｉａｌ）ダウンリンクＢＷＰ（ｂａｎｄｗｉｄｔｈ  ｐａｒｔ）内の最も低い番号のサブキャリアに決定される、
請求項１に記載の基地局の動作方法。
【請求項３】
前記特定のＣＳＳで伝送される前記ＤＣＩは、ＲＭＳＩ（ｒｅｍａｉｎｉｎｇ  ｍｉｎｉｍｕｍ  ｓｙｓｔｅｍ  ｉｎｆｏｒｍａｔｉｏｎ）を含む前記データチャネルのスケジューリングのために使われる、
請求項２に記載の基地局の動作方法。
【請求項４】
前記特定のＣＳＳで伝送される前記ＤＣＩのＣＲＣ（ｃｙｃｌｉｃ  ｒｅｄｕｎｄａｎｃｙ  ｃｈｅｃｋ）は、ＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ）によりスクランブリングされる、
請求項２に記載の基地局の動作方法。
【請求項５】
前記ＵＳＳおよび前記特定のＣＳＳは、同一のＢＷＰで設定される、
請求項２に記載の基地局の動作方法。
【請求項６】
前記同一のＢＷＰは、前記初期ダウンリンクＢＷＰである、
請求項５に記載の基地局の動作方法。
【請求項７】
前記最も低い番号のＣＲＢ内の前記最も低い番号のサブキャリアの周波数位置は、前記ＵＥに設定される、
請求項１に記載の基地局の動作方法。
【請求項８】
前記最も低い番号のＣＲＢ内の前記最も低い番号のサブキャリアの前記周波数位置は、ＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの位置からの周波数オフセット（ｏｆｆｓｅｔ）により表現される、
請求項７に記載の基地局の動作方法。
【請求項９】
前記最も低い番号のサブキャリアは、インデックス０を有するサブキャリアであり、前記最も低い番号のＣＲＢは、インデックス０を有するＣＲＢである、
請求項１に記載の基地局の動作方法。
【請求項１０】
前記ＤＣＩは、ＰＤＣＣＨ（ｐｈｙｓｉｃａｌ  ｄｏｗｎｌｉｎｋ  ｃｏｎｔｒｏｌ  ｃｈａｎｎｅｌ）を通じて伝送され、
前記データチャネルは、ＰＤＳＣＨ（ｐｈｙｓｉｃａｌ  ｄｏｗｎｌｉｎｋ  ｓｈａｒｅｄ  ｃｈａｎｎｅｌ）である、
請求項１に記載の基地局の動作方法。
【請求項１１】
通信システムのＵＥ（ｕｓｅｒ  ｅｑｕｉｐｍｅｎｔ）の動作方法であって、
探索空間（ｓｅａｒｃｈ  ｓｐａｃｅ）でＤＣＩ（ｄｏｗｎｌｉｎｋ  ｃｏｎｔｒｏｌ  ｉｎｆｏｒｍａｔｉｏｎ）を基地局から受信する段階；
前記探索空間のタイプに基づいて、前記ＤＣＩによってスケジューリングされるデータチャネルのＤＭＲＳ（ｄｅｍｏｄｕｌａｔｉｏｎ  ｒｅｆｅｒｅｎｃｅ  ｓｉｇｎａｌ）のマッピングのための参照ポイント（ｒｅｆｅｒｅｎｃｅ  ｐｏｉｎｔ）を決定する段階；および
前記ＤＭＲＳが前記参照ポイントに基づいて決定されたＲＥ（ｒｅｓｏｕｒｃｅ  ｅｌｅｍｅｎｔｓ）にマッピングされることを推定することによって、前記ＤＭＲＳを含む前記データチャネルを前記基地局から受信する段階、
を含み、
前記探索空間の前記タイプがＵＳＳ（ＵＥ−ｓｐｅｃｉｆｉｃ  ｓｅａｒｃｈ  ｓｐａｃｅ）である場合、前記参照ポイントは最も低い番号の（ｌｏｗｅｓｔ−ｎｕｍｂｅｒｅｄ）ＣＲＢ（ｃｏｍｍｏｎ  ｒｅｓｏｕｒｃｅ  ｂｌｏｃｋ）内の最も低い番号のサブキャリア（ｓｕｂｃａｒｒｉｅｒ）に決定される、
ＵＥの動作方法。
【請求項１２】
前記探索空間の前記タイプが特定のＣＳＳ（ｃｏｍｍｏｎ  ｓｅａｒｃｈ  ｓｐａｃｅ）である場合、前記参照ポイントは、初期（ｉｎｉｔｉａｌ）ダウンリンクＢＷＰ（ｂａｎｄｗｉｄｔｈ  ｐａｒｔ）内の最も低い番号のサブキャリアに決定される、
請求項１１に記載のＵＥの動作方法。
【請求項１３】
前記特定のＣＳＳで受信される前記ＤＣＩは、ＲＭＳＩ（ｒｅｍａｉｎｉｎｇ  ｍｉｎｉｍｕｍ  ｓｙｓｔｅｍ  ｉｎｆｏｒｍａｔｉｏｎ）を含む前記データチャネルのスケジューリングのために使われる、
請求項１２に記載のＵＥの動作方法。
【請求項１４】
前記特定のＣＳＳで受信される前記ＤＣＩのＣＲＣ（ｃｙｃｌｉｃ  ｒｅｄｕｎｄａｎｃｙ  ｃｈｅｃｋ）は、ＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ）によりスクランブリングされる、
請求項１２に記載のＵＥの動作方法。
【請求項１５】
前記ＵＳＳおよび前記特定のＣＳＳは、同一のＢＷＰで設定される、
請求項１２に記載のＵＥの動作方法。
【請求項１６】
前記同一のＢＷＰは、前記初期ダウンリンクＢＷＰである、
請求項１５に記載のＵＥの動作方法。
【請求項１７】
前記最も低い番号のＣＲＢ内の前記最も低い番号のサブキャリアの周波数位置は、前記ＵＥに設定される、
請求項１１に記載のＵＥの動作方法。
【請求項１８】
前記最も低い番号のＣＲＢ内の前記最も低い番号のサブキャリアの前記周波数位置は、ＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの位置からの周波数オフセット（ｏｆｆｓｅｔ）により表現される、
請求項１７に記載のＵＥの動作方法。
【請求項１９】
前記最も低い番号のサブキャリアは、インデックス０を有するサブキャリアであり、前記最も低い番号のＣＲＢは、インデックス０を有するＣＲＢである、
請求項１１に記載のＵＥの動作方法。
【請求項２０】
前記ＤＣＩは、ＰＤＣＣＨ（ｐｈｙｓｉｃａｌ  ｄｏｗｎｌｉｎｋ  ｃｏｎｔｒｏｌ  ｃｈａｎｎｅｌ）を通じて受信され、
前記データチャネルは、ＰＤＳＣＨ（ｐｈｙｓｉｃａｌ  ｄｏｗｎｌｉｎｋ  ｓｈａｒｅｄ  ｃｈａｎｎｅｌ）である、
請求項１１に記載のＵＥの動作方法。
【国際調査報告】
2020523942.tif 000021
2020523942.tif 000022
2020523942.tif 000023
2020523942.tif 000024
2020523942.tif 000025
2020523942.tif 000026
2020523942.tif 000027
2020523942.tif 000028